(57)【特許請求の範囲】
【請求項１】
第１の機器において適用される、ＨＡＲＱ（ｈｙｂｒｉｄ  ａｕｔｏｍａｔｉｃ  ｒｅｐｅａｔ  ｒｅｑｕｅｓｔ）フィードバックを入手する方法であって、
サービス要件に従ってショートＴＴＩ（ｔｒａｎｓｍｉｓｓｉｏｎ  ｔｉｍｅ  ｉｎｔｅｒｖａｌ）スケジューリング情報を第１のターゲット・ロングＴＴＩへと構成することであって、該ショートＴＴＩスケジューリング情報が、少なくとも、ロケーション情報、長さ情報、量情報、およびショートＴＴＩのＨＡＲＱフィードバック・リソースのロケーション情報を含み、該ショートＴＴＩの該ＨＡＲＱフィードバック・リソースが、該ショートＴＴＩのＨＡＲＱフィードバックを第２の機器から該第１の機器へ送信するように構成され、および前記ロケーション情報が、ショートＴＴＩを用いてスケジュールされることになるロングＴＴＩを示す、構成することと、
該第１のターゲット・ロングＴＴＩを通じて該ショートＴＴＩスケジューリング情報を該第２の機器へ送信することと、
該ショートＴＴＩスケジューリング情報に従って１つまたは複数のショートＴＴＩを第２のターゲット・ロングＴＴＩにおいてスケジュールし、該第２のターゲット・ロングＴＴＩにおいてスケジュールされた１つまたは複数のショートＴＴＩのそれぞれのデータ・パケットを該第２の機器へ送信することと、
該第２の機器からＨＡＲＱフィードバックを受信することとを含む、ここで該ＨＡＲＱフィードバックが、該第２の機器によって順次分析される該第２のターゲット・ロングＴＴＩのうちの該スケジュールされた１つまたは複数のショートＴＴＩのそれぞれのデータ・パケットに対応している、方法。
【請求項２】
サービス要件に従って前記ショートＴＴＩスケジューリング情報を前記第１のターゲット・ロングＴＴＩへと構成することが、
ロングＴＴＩを通じてデータが伝送されているときに低待ち時間サービス要求をモニタすることと、
該低待ち時間サービス要求がモニタされているということを特定したことに応答して、前記ショートＴＴＩスケジューリング情報を前記第１のターゲット・ロングＴＴＩへと構成することであって、低待ち時間サービス・データがショートＴＴＩにおいて伝送されることになる、構成することとを含む、請求項１記載の方法。
【請求項３】
前記ショートＴＴＩスケジューリング情報を前記第１のターゲット・ロングＴＴＩへと構成することが、
前記ショートＴＴＩスケジューリング情報を、前記第１のターゲット・ロングＴＴＩに関連付けられている制御シグナリングへと構成すること、または
前記ショートＴＴＩスケジューリング情報を、前記第１のターゲット・ロングＴＴＩに関連付けられているデータ・フィールドへと構成し、前記ショートＴＴＩスケジューリング情報のロケーション情報を、前記第１のターゲット・ロングＴＴＩに関連付けられている制御シグナリングへと構成することであって、前記ショートＴＴＩスケジューリング情報の前記ロケーション情報が、前記現在のロングＴＴＩに関連付けられている該データ・フィールドにおける前記ショートＴＴＩスケジューリング情報のストレージ・ロケーションを示すために使用される、構成することを含む、請求項２記載の方法。
【請求項４】
前記ショートＴＴＩスケジューリング情報を、前記第１のターゲット・ロングＴＴＩに関連付けられている前記制御シグナリングへと構成することが、
ロングＴＴＩにおけるすべてのショートＴＴＩのスケジューリング情報を、前記第１のターゲット・ロングＴＴＩに関連付けられている前記制御シグナリングへと構成すること、または
ロングＴＴＩにおける第１のショートＴＴＩのスケジューリング情報を、前記第１のターゲット・ロングＴＴＩに関連付けられている前記制御シグナリングへと構成することであって、該第１のショートＴＴＩの該スケジューリング情報がさらに、該第１のショートＴＴＩが後のショートＴＴＩのスケジューリング情報を含むということを示すための表示情報を含む、構成することを含む、請求項３記載の方法。
【請求項５】
前記第１のターゲット・ロングＴＴＩが、ロングＴＴＩにおけるすべてのショートＴＴＩのスケジューリング情報を伴って構成されている場合には、前記ショートＴＴＩスケジューリング情報に従って前記第２のターゲット・ロングＴＴＩにおいて前記１つまたは複数のショートＴＴＩをスケジュールすることが、
該スケジューリング情報に従って、
前記第２のターゲット・ロングＴＴＩ内で前記１つまたは複数のショートＴＴＩのそれぞれを順次スケジュールすることと、
前記１つまたは複数のショートＴＴＩのそれぞれにＨＡＲＱフィードバック・リソースを順次割り当てることとを含む、請求項１記載の方法。
【請求項６】
前記第１のターゲット・ロングＴＴＩに関連付けられている制御シグナリングが、ロングＴＴＩにおける第１のショートＴＴＩのスケジューリング情報を含む場合には、前記ショートＴＴＩスケジューリング情報に従って前記第２のターゲット・ロングＴＴＩにおいて前記１つまたは複数のショートＴＴＩをスケジュールすることが、
該第１のショートＴＴＩの該スケジューリング情報に従って、
前記第２のターゲット・ロングＴＴＩにおいて該第１のショートＴＴＩをスケジュールすることと、
該第１のショートＴＴＩにＨＡＲＱフィードバック・リソースを割り当てることと、
該第１のショートＴＴＩから最後から２番目のショートＴＴＩに関して、
現在のショートＴＴＩに関連付けられているサブ制御シグナリングにおいて後のショートＴＴＩのスケジューリング情報を構成するオペレーションであって、該現在のショートＴＴＩの該スケジューリング情報が、少なくとも、長さ情報、ＨＡＲＱフィードバック・リソースのロケーション情報、および表示情報を含む、オペレーション、
該後のショートＴＴＩの該スケジューリング情報に従って、
該後のショートＴＴＩをスケジュールするオペレーション、および
該後のショートＴＴＩにＨＡＲＱフィードバック・リソースを割り当てるオペレーションを順次実行することとを含む、請求項１記載の方法。
【請求項７】
ショートＴＴＩのＨＡＲＱフィードバック・リソースの前記ロケーション情報を前記第１のターゲット・ロングＴＴＩにおいて構成することが、
それぞれのショートＴＴＩのＨＡＲＱフィードバック・リソースを、該ショートＴＴＩの末尾のすぐ隣にあるように構成すること、または
１つもしくは複数のショートＴＴＩがロングＴＴＩにおいてスケジュールされた後に該ロングＴＴＩが予備リソースを有する場合には、該ロングＴＴＩ用にもともと構成されているＨＡＲＱフィードバック・リソースを該１つもしくは複数のショートＴＴＩのうちの最後の１つに割り振ることを含む、請求項１記載の方法。
【請求項８】
第２の機器において適用される、ＨＡＲＱフィードバックを伝送する方法であって、
第１のターゲット・ロングＴＴＩからショートＴＴＩスケジューリング情報を入手することであって、該ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩの該ＨＡＲＱフィードバック・リソースが、該ショートＴＴＩのＨＡＲＱフィードバックを該第２の機器から第１の機器へ伝送するように構成され、および前記ロケーション情報が、ショートＴＴＩを用いてスケジュールされることになるロングＴＴＩを示す、入手することと、
該ショートＴＴＩスケジューリング情報に従って、第２のターゲット・ロングＴＴＩからショートＴＴＩのそれぞれのデータ・パケットを順次入手し、該ショートＴＴＩのうちのそれぞれのＨＡＲＱフィードバック・リソースを通じて該第１の機器へＨＡＲＱフィードバックを伝送することとを含む方法。
【請求項９】
前記第１のターゲット・ロングＴＴＩから前記ショートＴＴＩスケジューリング情報を入手することが、
ロングＴＴＩのそれぞれが前記ショートＴＴＩスケジューリング情報を含むかどうかをモニタして、モニタリング結果を入手することと、
現在のロングＴＴＩが前記ショートＴＴＩスケジューリング情報を含むということを該モニタリング結果が示している場合には、該現在のロングＴＴＩを前記第１のターゲット・ロングＴＴＩとして特定することと、
前記第１のターゲット・ロングＴＴＩから前記ショートＴＴＩスケジューリング情報を分析することとを含む、請求項８記載の方法。
【請求項１０】
前記ショートＴＴＩスケジューリング情報に従って、前記第２のターゲット・ロングＴＴＩからショートＴＴＩのそれぞれのデータ・パケットを順次入手し、前記ショートＴＴＩのうちのそれぞれの前記ＨＡＲＱフィードバック・リソースを通じて前記第１の機器へ前記ＨＡＲＱフィードバックを伝送することが、
前記ショートＴＴＩの前記ロケーション情報に従って前記ショートＴＴＩを用いてスケジュールされる前記第２のターゲット・ロングＴＴＩを特定することと、
前記ショートＴＴＩの前記長さ情報および前記量情報に従って前記第２のターゲット・ロングＴＴＩにおける前記ショートＴＴＩのそれぞれを入手することと、
前記ショートＴＴＩのうちのそれぞれのデータ・パケット上でエラー検知を実行して、前記ショートＴＴＩに対応するＨＡＲＱフィードバックを生成することと、
前記ＨＡＲＱフィードバック・リソースの前記ロケーション情報に従って、前記ショートＴＴＩのうちのそれぞれの前記ＨＡＲＱフィードバックを、対応するＨＡＲＱフィードバック・リソースを通じて前記第１の機器へ伝送することとを含む、請求項８記載の方法。
【請求項１１】
前記ショートＴＴＩの前記長さ情報および前記量情報に従って前記第２のターゲット・ロングＴＴＩにおける前記ショートＴＴＩのそれぞれを入手することが、
前記量情報が１を示している場合には、前記長さ情報に従って前記第２のターゲット・ロングＴＴＩにおける第１のショートＴＴＩを入手することと、
該第１のショートＴＴＩから開始して、
現在のショートＴＴＩのスケジューリング情報が表示情報を含むかどうかを特定するオペレーションであって、該表示情報が、該現在のショートＴＴＩが後のショートＴＴＩのスケジューリング情報を含むということを示すために使用される、オペレーション、
該現在のショートＴＴＩの該スケジューリング情報が該表示情報を含むということを特定したことに応答して、
該入手された現在のショートＴＴＩから該後のショートＴＴＩの該スケジューリング情報を分析するオペレーション、および
該後のショートＴＴＩの該スケジューリング情報に従って前記第２のターゲット・ロングＴＴＩから該後のショートＴＴＩを分析するオペレーション、および
該現在のショートＴＴＩの該スケジューリング情報が該表示情報を含まないということを特定したことに応答して、前記第２のターゲット・ロングＴＴＩから該ショートＴＴＩを分析することを停止するオペレーションを順次実行することとを含む、請求項１０記載の方法。
【請求項１２】
第１の機器において適用される、ＨＡＲＱフィードバックを入手するための装置であって、
サービス要件に従ってショートＴＴＩスケジューリング情報を第１のターゲット・ロングＴＴＩへと構成するための構成モジュールであって、該ショートＴＴＩスケジューリング情報が、少なくとも、ロケーション情報、長さ情報、量情報、およびショートＴＴＩのＨＡＲＱフィードバック・リソースのロケーション情報を含み、該ショートＴＴＩの該ＨＡＲＱフィードバック・リソースが、該ショートＴＴＩのＨＡＲＱフィードバックを第２の機器から該第１の機器へ送信するように構成され、および前記ロケーション情報が、ショートＴＴＩを用いてスケジュールされることになるロングＴＴＩを示す、構成モジュールと、
該第１のターゲット・ロングＴＴＩを通じて該ショートＴＴＩスケジューリング情報を該第２の機器へ送信するためのスケジューリング情報送信モジュールと、
該ショートＴＴＩスケジューリング情報に従って１つまたは複数のショートＴＴＩを第２のターゲット・ロングＴＴＩにおいてスケジュールし、該第２のターゲット・ロングＴＴＩにおいてスケジュールされた１つまたは複数のショートＴＴＩのそれぞれのデータ・パケット該第２の機器へ送信するためのスケジューリング・モジュールと、
該第２の機器からＨＡＲＱフィードバックを受信するための受信モジュールとを含む、ここで該ＨＡＲＱフィードバックが、該第２の機器によって順次分析される該第２のターゲット・ロングＴＴＩのうちの該スケジュールされた１つまたは複数のショートＴＴＩのそれぞれのデータ・パケットに対応している、装置。
【請求項１３】
前記構成モジュールが、
ロングＴＴＩを通じてデータが伝送されているときに低待ち時間サービス要求をモニタするためのモニタリング・サブモジュールと、
該低待ち時間サービス要求がモニタされているということを特定したことに応答して、前記ショートＴＴＩスケジューリング情報を前記第１のターゲット・ロングＴＴＩへと構成するためのスケジューリング情報構成サブモジュールであって、低待ち時間サービス・データがショートＴＴＩにおいて伝送されることになる、スケジューリング情報構成サブモジュールとを含む、請求項１２記載の装置。
【請求項１４】
前記スケジューリング情報構成サブモジュールが、
前記ショートＴＴＩスケジューリング情報を、前記第１のターゲット・ロングＴＴＩに関連付けられている制御シグナリングへと構成するための第１の構成ユニット、または
前記ショートＴＴＩスケジューリング情報を、前記第１のターゲット・ロングＴＴＩに関連付けられているデータ・フィールドへと構成し、前記ショートＴＴＩスケジューリング情報のロケーション情報を、前記第１のターゲット・ロングＴＴＩに関連付けられている制御シグナリングへと構成するための第２の構成ユニットであって、前記ショートＴＴＩスケジューリング情報の前記ロケーション情報が、現在のロングＴＴＩに関連付けられている該データ・フィールドにおける前記ショートＴＴＩスケジューリング情報のストレージ・ロケーションを示すために使用される、第２の構成ユニットを含む、請求項１３記載の装置。
【請求項１５】
前記第１の構成ユニットが、
ロングＴＴＩにおけるすべてのショートＴＴＩのスケジューリング情報を、前記第１のターゲット・ロングＴＴＩに関連付けられている前記制御シグナリングへと構成するための第１の構成サブユニット、または
ロングＴＴＩにおける第１のショートＴＴＩのスケジューリング情報を、前記第１のターゲット・ロングＴＴＩに関連付けられている前記制御シグナリングへと構成するための第２の構成サブユニットであって、該第１のショートＴＴＩの該スケジューリング情報がさらに、該第１のショートＴＴＩが後のショートＴＴＩのスケジューリング情報を含むということを示すための表示情報を含む、第２の構成サブユニットを含む、請求項１４記載の装置。
【請求項１６】
前記スケジューリング・モジュールが、
前記第１のターゲット・ロングＴＴＩが、ロングＴＴＩにおけるすべてのショートＴＴＩのスケジューリング情報を伴って構成されている場合には、該スケジューリング情報に従って、前記第２のターゲット・ロングＴＴＩ内で前記１つまたは複数のショートＴＴＩのそれぞれを順次スケジュールし、前記１つまたは複数のショートＴＴＩのそれぞれにＨＡＲＱフィードバック・リソースを順次割り当てるための第１のスケジューリング・サブモジュールを含む、請求項１２記載の装置。
【請求項１７】
前記スケジューリング・モジュールが、
前記第１のターゲット・ロングＴＴＩに関連付けられている制御シグナリングが、ロングＴＴＩにおける第１のショートＴＴＩのスケジューリング情報を含む場合には、該第１のショートＴＴＩの該スケジューリング情報に従って、前記第２のターゲット・ロングＴＴＩにおいて該第１のショートＴＴＩをスケジュールし、該第１のショートＴＴＩにＨＡＲＱフィードバック・リソースを割り当てるための第２のスケジューリング・サブモジュールと、
ネストされた構成ユニットおよびスケジューリング・ユニットを前記第１のショートＴＴＩから最後から２番目のショートＴＴＩまで順次トリガーするための第３のスケジューリング・サブモジュールとを含み、
前記ネストされた構成ユニットが、現在のショートＴＴＩに関連付けられているサブ制御シグナリングへと後のショートＴＴＩのスケジューリング情報を構成することになり、該現在のショートＴＴＩの該スケジューリング情報が、少なくとも、長さ情報、ＨＡＲＱフィードバック・リソースのロケーション情報、および表示情報を含み、
前記スケジューリング・ユニットが、該後のショートＴＴＩの該スケジューリング情報に従って、該後のショートＴＴＩをスケジュールし、該後のショートＴＴＩにＨＡＲＱフィードバック・リソースを割り当てることになる、請求項１２記載の装置。
【請求項１８】
前記構成モジュールが、
それぞれのショートＴＴＩのＨＡＲＱフィードバック・リソースを、該ショートＴＴＩの末尾のすぐ隣にあるように構成するための第１のリソース構成サブモジュール、または
ロングＴＴＩで１つまたは複数のショートＴＴＩがスケジュールされた後、ロングＴＴＩに冗長リソースがある場合、ロングＴＴＩ用にもともと構成されているＨＡＲＱフィードバック・リソースを該１つもしくは複数のショートＴＴＩのうちの最後の１つに割り振るための第２のリソース構成サブモジュールを含む、請求項１２記載の装置。
【請求項１９】
第２の機器において適用される、ＨＡＲＱフィードバックを伝送するための装置であって、
第１のターゲット・ロングＴＴＩからショートＴＴＩスケジューリング情報を入手するためのスケジューリング情報入手モジュールであって、該ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩの該ＨＡＲＱフィードバック・リソースが、該ショートＴＴＩのＨＡＲＱフィードバックを該第２の機器から第１の機器へ伝送するように構成され、および前記ロケーション情報が、ショートＴＴＩを用いてスケジュールされることになるロングＴＴＩを示す、スケジューリング情報入手モジュールと、
該ショートＴＴＩスケジューリング情報に従って、第２のターゲット・ロングＴＴＩからショートＴＴＩのそれぞれのデータ・パケットを順次入手し、該ショートＴＴＩのうちのそれぞれのＨＡＲＱフィードバック・リソースを通じて該第１の機器へＨＡＲＱフィードバックを送信するためのフィードバック送信モジュールとを含む装置。
【請求項２０】
前記スケジューリング情報入手モジュールが、
ロングＴＴＩのそれぞれが前記ショートＴＴＩスケジューリング情報を含むかどうかをモニタして、モニタリング結果を入手するためのモニタリング・サブモジュールと、
現在のロングＴＴＩが前記ショートＴＴＩスケジューリング情報を含むということを該モニタリング結果が示している場合には、該現在のロングＴＴＩを前記第１のターゲット・ロングＴＴＩとして特定するための第１のターゲット特定サブモジュールと、
前記第１のターゲット・ロングＴＴＩから前記ショートＴＴＩスケジューリング情報を分析するための分析サブモジュールとを含む、請求項１９記載の装置。
【請求項２１】
前記フィードバック送信モジュールが、
前記ショートＴＴＩの前記ロケーション情報に従って前記ショートＴＴＩを用いてスケジュールされる前記第２のターゲット・ロングＴＴＩを特定するための第２のターゲット特定サブモジュールと、
前記ショートＴＴＩの前記長さ情報および前記量情報に従って前記第２のターゲット・ロングＴＴＩにおける前記ショートＴＴＩのそれぞれを入手するためのショートＴＴＩ入手サブモジュールと、
前記ショートＴＴＩのうちのそれぞれのデータ・パケット上でエラー検知を実行して、前記ショートＴＴＩに対応するＨＡＲＱフィードバックを生成するための検知サブモジュールと、
前記ＨＡＲＱフィードバック・リソースの前記ロケーション情報に従って、前記ショートＴＴＩのうちのそれぞれの前記ＨＡＲＱフィードバックを、対応するＨＡＲＱフィードバック・リソースを通じて前記第１の機器へ伝送するための送信サブモジュールとを含む、請求項１９記載の装置。
【請求項２２】
前記ショートＴＴＩ入手サブモジュールが、
前記量情報が１を示している場合には、前記長さ情報に従って前記第２のターゲット・ロングＴＴＩにおける第１のショートＴＴＩを入手するための第１のショートＴＴＩ入手ユニットと、
該第１のショートＴＴＩから開始して、特定サブユニット、ポーリング・スケジューリング・サブユニット、または終了実行サブユニットを順次トリガーするためのポーリング実行ユニットとを含み、
前記特定サブユニットが、現在のショートＴＴＩのスケジューリング情報が表示情報を含むかどうかを特定することになり、該表示情報が、該現在のショートＴＴＩが後のショートＴＴＩのスケジューリング情報を含むということを示すために使用され、
前記ポーリング・スケジューリング・サブユニットが、該現在のショートＴＴＩの該スケジューリング情報が該表示情報を含むということを特定したことに応答して、該入手された現在のショートＴＴＩから該後のショートＴＴＩの該スケジューリング情報を分析し、該後のショートＴＴＩの該スケジューリング情報に従って前記第２のターゲット・ロングＴＴＩから該後のショートＴＴＩを分析することになり、
前記終了実行サブユニットが、該現在のショートＴＴＩの該スケジューリング情報が該表示情報を含まないということを特定したことに応答して、前記第２のターゲット・ロングＴＴＩから該ショートＴＴＩを分析することを停止することになる、請求項２１記載の装置。
【請求項２３】
ＨＡＲＱフィードバックを入手するための装置であって、
プロセッサと、
該プロセッサによって実行可能な命令を格納するためのメモリとを含み、
該プロセッサが、
サービス要件に従ってショートＴＴＩスケジューリング情報を第１のターゲット・ロングＴＴＩへと構成することであって、該ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩの該ＨＡＲＱフィードバック・リソースが、該ショートＴＴＩのＨＡＲＱフィードバックを第２の機器から第１の機器へ送信するように構成され、および前記ロケーション情報が、ショートＴＴＩを用いてスケジュールされることになるロングＴＴＩを示す、構成することと、
該第１のターゲット・ロングＴＴＩを通じて該ショートＴＴＩスケジューリング情報を該第２の機器へ送信することと、
該ショートＴＴＩスケジューリング情報に従って１つまたは複数のショートＴＴＩを第２のターゲット・ロングＴＴＩにおいてスケジュールすることと、
該第２のターゲット・ロングＴＴＩにおいてスケジュールされた１つまたは複数のショートＴＴＩのそれぞれのデータ・パケットを該第２の機器へ送信することと、
該第２の機器からＨＡＲＱフィードバックを受信することとを行うことになる、、ここで該ＨＡＲＱフィードバックが、該第２の機器によって順次分析される該第２のターゲット・ロングＴＴＩのうちの該スケジュールされた１つまたは複数のショートＴＴＩのそれぞれのデータ・パケットに対応している、装置。
【請求項２４】
ＨＡＲＱフィードバックを伝送するための装置であって、
プロセッサと、
該プロセッサによって実行可能な命令を格納するためのメモリとを含み、
該プロセッサが、
第１のターゲット・ロングＴＴＩからショートＴＴＩスケジューリング情報を入手することであって、該ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩの該ＨＡＲＱフィードバック・リソースが、該ショートＴＴＩのＨＡＲＱフィードバックを第２の機器から第１の機器へ伝送するように構成され、および前記ロケーション情報が、ショートＴＴＩを用いてスケジュールされることになるロングＴＴＩを示す、入手することと、
該ショートＴＴＩスケジューリング情報に従って、
第２のターゲット・ロングＴＴＩからショートＴＴＩのそれぞれのデータ・パケットを順次入手することと、
該ショートＴＴＩのうちのそれぞれのＨＡＲＱフィードバック・リソースを通じて該第１の機器へＨＡＲＱフィードバックを伝送することとを行うことになる、装置。
【発明の詳細な説明】
【技術分野】
【０００１】
本開示は、通信テクノロジーの分野に関連しており、詳細には、ＨＡＲＱフィードバックを入手するための方法および装置、ならびにＨＡＲＱフィードバックを伝送するための方法および装置に関連している。
【背景技術】
【０００２】
ワイヤレス通信テクノロジーの発展に伴って、モバイル通信ネットワークは、徐々に５Ｇネットワークへ進化している。５Ｇネットワークは、データ伝送レート、カバレッジ、待ち時間、キャパシティーなどを大幅に改善し、ユーザ要件に従って、ｅＭＢＢ（ｅｎｈａｎｃｅｄ  ｍｏｂｉｌｅ  ｂｒｏａｄｂａｎｄ  ｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ  Ｒｅｌｉａｂｌｅ  Ｌｏｗ−ｌａｔｅｎｃｙ  Ｃｏｍｍｕｎｉｃａｔｉｏｎ）等など、より多くのダウンリンク・サービスを伴って構成されることが可能である。５Ｇネットワークは、ブロードバンド接続、インターネット・オブ・シングス、インターネット・オブ・ビークル、ワイド・エリア・カバレッジなどにおいて適用される。
【０００３】
ｍＭＴＣサービスなど、敏感ではないサービスのデータが２片の機器の間において伝送される場合、たとえば、基地局がｍＭＴＣサービスのデータをユーザ機器へ伝送する場合には、ｍＭＴＣサービスは待ち時間に敏感ではないので、そのデータは、事前に設定された数のロングＴＴＩ（Ｔｒａｎｓｍｉｓｓｉｏｎ  Ｔｉｍｅ  Ｉｎｔｅｒｖａｌ）を用いて伝送されることが可能である。ロングＴＴＩは、上述の敏感ではないサービスの伝送の基本的な単位であり、１０ｍｓなど、比較的長いタイム・ピリオドを有する。このプロセスにおいては、サービス要件に従って、伝送を実行するためにショートＴＴＩを使用する待ち時間に敏感なサービスが２つの機器の間において伝送されることになる場合には、そのショートＴＴＩも、上述されているロングＴＴＩにおいてスケジュールされることを許可される。
【発明の概要】
【発明が解決しようとする課題】
【０００４】
関連した技術分野によれば、図１−１において示されているように、ロングＴＴＩに対応するＨＡＲＱ（Ｈｙｂｒｉｄ  Ａｕｔｏｍａｔｉｃ  Ｒｅｐｅａｔ  Ｒｅｑｕｅｓｔ）フィードバック・リソースが構成されている（一般には、ロングＴＴＩの末尾にある）ので。ショートＴＴＩがロングＴＴＩにおいてスケジュールされる場合には、ショートＴＴＩ２００のＨＡＲＱフィードバックは、図１−２において示されているように、ロングＴＴＩのＨＡＲＱフィードバック・リソース１０３を伴ってのみ伝送される。ロングＴＴＩのタイム・ピリオドがショートＴＴＩのタイム・ピリオドよりも大きいので、ロングＴＴＩの伝送特徴に従って、ショートＴＴＩのＨＡＲＱフィードバック待ち時間が増大される。したがって、待ち時間に敏感なデータの伝送時間が増大され、ロングＴＴＩのリソースも浪費される。
【課題を解決するための手段】
【０００５】
関連した技術分野における問題を克服するために、本開示の例は、ＨＡＲＱフィードバックを入手するための方法および装置、ならびにＨＡＲＱフィードバックを伝送するための方法および装置を提供する。２つの機器が長いタイム・インターバルの伝送を中断し、短いタイム・インターバルのサービスの伝送に切り替えた場合には、短いタイム・インターバルのサービスのＨＡＲＱフィードバック待ち時間が短縮される。
【０００６】
本開示の例の第１の態様によれば、ＨＡＲＱフィードバックを入手する方法が提供され、この方法は、第１の機器において適用される。
この方法は、
サービス要件に従ってショートＴＴＩ（ｔｒａｎｓｍｉｓｓｉｏｎ  ｔｉｍｅ  ｉｎｔｅｒｖａｌ）スケジューリング情報を第１のターゲット・ロングＴＴＩへと構成することであって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ送信するように構成されている、構成することと、
第１のターゲット・ロングＴＴＩを通じてショートＴＴＩスケジューリング情報を第２の機器へ送信することと、
ショートＴＴＩスケジューリング情報に従って１つまたは複数のショートＴＴＩを第２のターゲット・ロングＴＴＩにおいてスケジュールし、スケジュールされた１つまたは複数のショートＴＴＩを第２の機器へ送信することと、
第２のターゲット・ロングＴＴＩ内で第２の機器によって順次送信される１つまたは複数のショートＴＴＩのそれぞれに関するＨＡＲＱフィードバックを受信することと、を含む。
【０００７】
任意選択で、サービス要件に従ってショートＴＴＩスケジューリング情報を第１のターゲット・ロングＴＴＩへと構成することは、
ロングＴＴＩを通じてデータが伝送されているときに低待ち時間サービス要求をモニタすることと、
低待ち時間サービス要求がモニタされているということを特定したことに応答して、ショートＴＴＩスケジューリング情報を第１のターゲット・ロングＴＴＩへと構成することであって、低待ち時間サービス・データがショートＴＴＩにおいて伝送されることになる、構成することとを含む。
【０００８】
任意選択で、ショートＴＴＩスケジューリング情報を第１のターゲット・ロングＴＴＩへと構成することは、
ショートＴＴＩスケジューリング情報を、第１のターゲット・ロングＴＴＩに関連付けられている制御シグナリングへと構成すること、または
ショートＴＴＩスケジューリング情報を、第１のターゲット・ロングＴＴＩに関連付けられているデータ・フィールドへと構成し、ショートＴＴＩスケジューリング情報のロケーション情報を、第１のターゲット・ロングＴＴＩに関連付けられている制御シグナリングへと構成することであって、ショートＴＴＩスケジューリング情報のロケーション情報が、現在のロングＴＴＩに関連付けられているデータ・フィールドにおけるショートＴＴＩスケジューリング情報のストレージ・ロケーションを示すために使用される、構成することを含む。
【０００９】
任意選択で、ショートＴＴＩスケジューリング情報を、第１のターゲット・ロングＴＴＩに関連付けられている制御シグナリングへと構成することは、
ロングＴＴＩにおけるすべてのショートＴＴＩのスケジューリング情報を、第１のターゲット・ロングＴＴＩに関連付けられている制御シグナリングへと構成すること、または
ロングＴＴＩにおける第１のショートＴＴＩのスケジューリング情報を、第１のターゲット・ロングＴＴＩに関連付けられている制御シグナリングへと構成することであって、第１のショートＴＴＩのスケジューリング情報がさらに、第１のショートＴＴＩが後のショートＴＴＩのスケジューリング情報を含むということを示すための表示情報を含む、構成することを含む。
【００１０】
任意選択で、第１のターゲット・ロングＴＴＩが、ロングＴＴＩにおけるすべてのショートＴＴＩのスケジューリング情報を伴って構成されている場合には、ショートＴＴＩスケジューリング情報に従って第２のターゲット・ロングＴＴＩにおいて１つまたは複数のショートＴＴＩをスケジュールすることは、
スケジューリング情報に従って、第２のターゲット・ロングＴＴＩ内で１つまたは複数のショートＴＴＩのそれぞれを順次スケジュールすることと、１つまたは複数のショートＴＴＩのそれぞれにＨＡＲＱフィードバック・リソースを順次割り当てることとを含む。
【００１１】
任意選択で、第１のターゲット・ロングＴＴＩに関連付けられている制御シグナリングが、ロングＴＴＩにおける第１のショートＴＴＩのスケジューリング情報を含む場合には、ショートＴＴＩスケジューリング情報に従って第２のターゲット・ロングＴＴＩにおいて１つまたは複数のショートＴＴＩをスケジュールすることは、
第１のショートＴＴＩのスケジューリング情報に従って、第２のターゲット・ロングＴＴＩにおいて第１のショートＴＴＩをスケジュールすることと、第１のショートＴＴＩにＨＡＲＱフィードバック・リソースを割り当てることと、
第１のショートＴＴＩから最後から２番目のショートＴＴＩに関して、
現在のショートＴＴＩに関連付けられているサブ制御シグナリングにおいて後のショートＴＴＩのスケジューリング情報を構成するオペレーションであって、後のショートＴＴＩのスケジューリング情報が、少なくとも、長さ情報、ＨＡＲＱフィードバック・リソースのロケーション情報、および表示情報を含む、オペレーション、
後のショートＴＴＩのスケジューリング情報に従って、後のショートＴＴＩをスケジュールするオペレーション、および後のショートＴＴＩにＨＡＲＱフィードバック・リソースを割り当てるオペレーションを順次実行することとを含む。
【００１２】
任意選択で、ショートＴＴＩのＨＡＲＱフィードバック・リソースのロケーション情報を第１のターゲット・ロングＴＴＩへと構成することは、
ショートＴＴＩのＨＡＲＱフィードバック・リソースを、ショートＴＴＩの末尾のすぐ隣にあるように構成することと、
１つまたは複数のショートＴＴＩがロングＴＴＩにおいてスケジュールされた後にロングＴＴＩが予備リソースを有する場合には、ロングＴＴＩ用に構成されている元のＨＡＲＱフィードバック・リソースを１つまたは複数のショートＴＴＩのうちの最後の１つに割り当てることとを含む。
【００１３】
本開示の例の第２の態様によれば、ＨＡＲＱフィードバックを伝送する方法が提供され、この方法は、第２の機器において適用される。
この方法は、
第１のターゲット・ロングＴＴＩからショートＴＴＩスケジューリング情報を入手することであって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ伝送するように構成されている、入手することと、
ショートＴＴＩスケジューリング情報に従って、第２のターゲット・ロングＴＴＩからショートＴＴＩのそれぞれを順次分析し、ショートＴＴＩのうちのそれぞれのＨＡＲＱフィードバック・リソースを通じて第１の機器へＨＡＲＱフィードバックを伝送することとを含む。
【００１４】
任意選択で、第１のターゲット・ロングＴＴＩからショートＴＴＩスケジューリング情報を入手することは、
ロングＴＴＩのそれぞれがショートＴＴＩスケジューリング情報を含むかどうかをモニタして、モニタリング結果を入手することと、
現在のロングＴＴＩがショートＴＴＩスケジューリング情報を含むということをモニタリング結果が示している場合には、現在のロングＴＴＩを第１のターゲット・ロングＴＴＩとして特定することと、
第１のターゲット・ロングＴＴＩからショートＴＴＩスケジューリング情報を分析することとを含む。
【００１５】
任意選択で、スケジューリング情報に従って、第２のターゲット・ロングＴＴＩからショートＴＴＩのそれぞれを順次分析し、ショートＴＴＩのうちのそれぞれのＨＡＲＱフィードバック・リソースを通じて第１の機器へＨＡＲＱフィードバックを伝送することは、
ショートＴＴＩのロケーション情報に従ってショートＴＴＩを用いてスケジュールされる第２のターゲット・ロングＴＴＩを特定することと、
ショートＴＴＩの長さ情報および量情報に従って第２のターゲット・ロングＴＴＩにおけるショートＴＴＩのそれぞれを入手することと、
ショートＴＴＩのうちのそれぞれのデータ・パケット上でエラー検知を実行して、ショートＴＴＩに対応するＨＡＲＱフィードバックを生成することと、
ＨＡＲＱフィードバック・リソースのロケーション情報に従って、ショートＴＴＩのうちのそれぞれのＨＡＲＱフィードバックを、対応するＨＡＲＱフィードバック・リソースを通じて第１の機器へ伝送することとを含む。
【００１６】
任意選択で、ショートＴＴＩの長さ情報および量情報に従って第２のターゲット・ロングＴＴＩからショートＴＴＩのそれぞれを入手することは、
量情報が１を示している場合には、長さ情報に従って第２のターゲット・ロングＴＴＩにおける第１のショートＴＴＩを入手することと、
第１のショートＴＴＩから、
現在のショートＴＴＩのスケジューリング情報が表示情報を含むかどうかを特定するオペレーションであって、表示情報が、現在のショートＴＴＩが後のショートＴＴＩのスケジューリング情報を含むということを示すために使用される、オペレーション、
現在のショートＴＴＩが表示情報を含むということを特定したことに応答して、入手された現在のショートＴＴＩから後のショートＴＴＩのスケジューリング情報を分析するオペレーション、および後のショートＴＴＩのスケジューリング情報に従って第２のターゲット・ロングＴＴＩから後のショートＴＴＩを分析するオペレーション、および
現在のショートＴＴＩが表示情報を含まないということを特定したことに応答して、第２のターゲット・ロングＴＴＩからショートＴＴＩを分析することを停止するオペレーションを順次実行することとを含む。
【００１７】
本開示の例の第３の態様によれば、ＨＡＲＱフィードバックを入手するための装置が提供され、この装置は、第１の機器において適用される。
この装置は、
サービス要件に従ってショートＴＴＩスケジューリング情報を第１のターゲット・ロングＴＴＩへと構成するための構成モジュールであって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ送信するように構成されている、構成モジュールと、
第１のターゲット・ロングＴＴＩを通じてショートＴＴＩスケジューリング情報を第２の機器へ送信するためのスケジューリング情報送信モジュールと、
ショートＴＴＩスケジューリング情報に従って１つまたは複数のショートＴＴＩを第２のターゲット・ロングＴＴＩにおいてスケジュールし、スケジュールされた１つまたは複数のショートＴＴＩを第２の機器へ送信するためのスケジューリング・モジュールと、
第２のターゲット・ロングＴＴＩ内で第２の機器によって順次送信される１つまたは複数のショートＴＴＩのそれぞれに関するＨＡＲＱフィードバックを受信するための受信モジュールとを含む。
【００１８】
任意選択で、構成モジュールは、
ロングＴＴＩを通じてデータが伝送されているときに低待ち時間サービス要求をモニタするためのモニタリング・サブモジュールと、
低待ち時間サービス要求がモニタされているということを特定したことに応答して、ショートＴＴＩスケジューリング情報を第１のターゲット・ロングＴＴＩへと構成するためのスケジューリング情報構成サブモジュールであって、低待ち時間サービス・データがショートＴＴＩにおいて伝送されることになる、スケジューリング情報構成サブモジュールとを含む。
【００１９】
任意選択で、スケジューリング情報構成サブモジュールは、
ショートＴＴＩスケジューリング情報を、第１のターゲット・ロングＴＴＩに関連付けられている制御シグナリングへと構成するための第１の構成ユニット、または
ショートＴＴＩスケジューリング情報を、第１のターゲット・ロングＴＴＩに関連付けられているデータ・フィールドへと構成し、ショートＴＴＩスケジューリング情報のロケーション情報を、第１のターゲット・ロングＴＴＩに関連付けられている制御シグナリングへと構成するための第２の構成ユニットであって、ショートＴＴＩスケジューリング情報のロケーション情報が、現在のロングＴＴＩに関連付けられているデータ・フィールドにおけるショートＴＴＩスケジューリング情報のストレージ・ロケーションを示すために使用される、第２の構成ユニットを含む。
【００２０】
任意選択で、第１の構成ユニットは、
ロングＴＴＩにおけるすべてのショートＴＴＩのスケジューリング情報を、第１のターゲット・ロングＴＴＩに関連付けられている制御シグナリングへと構成するための第１の構成サブユニット、または
ロングＴＴＩにおける第１のショートＴＴＩのスケジューリング情報を、第１のターゲット・ロングＴＴＩに関連付けられている制御シグナリングへと構成するための第２の構成サブユニットであって、第１のショートＴＴＩのスケジューリング情報がさらに、第１のショートＴＴＩが後のショートＴＴＩのスケジューリング情報を含むということを示すための表示情報を含む、第２の構成サブユニットを含む。
【００２１】
任意選択で、スケジューリング・モジュールは、
第１のターゲット・ロングＴＴＩが、ロングＴＴＩにおけるすべてのショートＴＴＩのスケジューリング情報を伴って構成されている場合には、スケジューリング情報に従って、第２のターゲット・ロングＴＴＩ内で１つまたは複数のショートＴＴＩのそれぞれを順次スケジュールし、１つまたは複数のショートＴＴＩのそれぞれにＨＡＲＱフィードバック・リソースを順次割り当てるための第１のスケジューリング・サブモジュールを含む。
【００２２】
任意選択で、スケジューリング・モジュールは、
第１のターゲット・ロングＴＴＩに関連付けられている制御シグナリングが、ロングＴＴＩにおける第１のショートＴＴＩのスケジューリング情報を含む場合には、第１のショートＴＴＩのスケジューリング情報に従って、第２のターゲット・ロングＴＴＩにおいて第１のショートＴＴＩをスケジュールし、第１のショートＴＴＩにＨＡＲＱフィードバック・リソースを割り当てるための第２のスケジューリング・サブモジュールと、
ネストされた構成ユニットおよびスケジューリング・ユニットを第１のショートＴＴＩから最後から２番目のショートＴＴＩまで順次トリガーするための第３のスケジューリング・サブモジュールとを含み、
ネストされた構成ユニットは、現在のショートＴＴＩに関連付けられているサブ制御シグナリングへと後のショートＴＴＩのスケジューリング情報を構成することになり、現在のショートＴＴＩのスケジューリング情報は、少なくとも、長さ情報、ＨＡＲＱフィードバック・リソースのロケーション情報、および表示情報を含み、
スケジューリング・ユニットは、後のショートＴＴＩのスケジューリング情報に従って、後のショートＴＴＩをスケジュールし、後のショートＴＴＩにＨＡＲＱフィードバック・リソースを割り当てることになる。
【００２３】
任意選択で、構成モジュールは、
ショートＴＴＩのＨＡＲＱフィードバック・リソースを、ショートＴＴＩの末尾のすぐ隣にあるように構成するための第１のリソース構成サブモジュール、または
１つもしくは複数のショートＴＴＩがロングＴＴＩにおいてスケジュールされた後にロングＴＴＩが予備リソースを有する場合には、ロングＴＴＩ用に構成されている元のＨＡＲＱフィードバック・リソースを１つもしくは複数のショートＴＴＩのうちの最後の１つに割り当てるための第２のリソース構成サブモジュールを含む。
【００２４】
本開示の第４の態様によれば、ＨＡＲＱフィードバックを伝送するための装置が提供され、この装置は、第２の機器において適用される。
この装置は、
第１のターゲット・ロングＴＴＩからショートＴＴＩスケジューリング情報を入手するためのスケジューリング情報入手モジュールであって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ伝送するように構成されている、スケジューリング情報入手モジュールと、
ショートＴＴＩスケジューリング情報に従って、第２のターゲット・ロングＴＴＩからショートＴＴＩのそれぞれを順次分析し、ショートＴＴＩのうちのそれぞれのＨＡＲＱフィードバック・リソースを通じて第１の機器へＨＡＲＱフィードバックを送信するためのフィードバック送信モジュールとを含む。
【００２５】
任意選択で、スケジューリング情報入手モジュールは、
ロングＴＴＩのそれぞれがショートＴＴＩスケジューリング情報を含むかどうかをモニタして、モニタリング結果を入手するためのモニタリング・サブモジュールと、
現在のロングＴＴＩがショートＴＴＩスケジューリング情報を含むということをモニタリング結果が示している場合には、現在のロングＴＴＩを第１のターゲット・ロングＴＴＩとして特定するための第１のターゲット特定サブモジュールと、
第１のターゲット・ロングＴＴＩからショートＴＴＩスケジューリング情報を分析するための分析サブモジュールとを含む。
【００２６】
任意選択で、フィードバック送信モジュールは、
ショートＴＴＩのロケーション情報に従ってショートＴＴＩを用いてスケジュールされる第２のターゲット・ロングＴＴＩを特定するための第２のターゲット特定サブモジュールと、
ショートＴＴＩの長さ情報および量情報に従って第２のターゲット・ロングＴＴＩにおけるショートＴＴＩのそれぞれを入手するためのショートＴＴＩ入手サブモジュールと、
ショートＴＴＩのうちのそれぞれのデータ・パケット上でエラー検知を実行して、ショートＴＴＩに対応するＨＡＲＱフィードバックを生成するための検知サブモジュールと、
ＨＡＲＱフィードバック・リソースのロケーション情報に従って、ショートＴＴＩのうちのそれぞれのＨＡＲＱフィードバックを、対応するＨＡＲＱフィードバック・リソースを通じて第１の機器へ伝送するための送信サブモジュールとを含む。
【００２７】
任意選択で、ショートＴＴＩ入手サブモジュールは、
量情報が１を示している場合には、長さ情報に従って第２のターゲット・ロングＴＴＩにおける第１のショートＴＴＩを入手するための第１のショートＴＴＩ入手ユニットと、
第１のショートＴＴＩから開始して、特定サブユニット、ポーリング・スケジューリング・サブユニット、または終了実行サブユニットを順次トリガーするためのポーリング実行ユニットとを含み、
特定サブユニットは、現在のショートＴＴＩのスケジューリング情報が表示情報を含むかどうかを特定することになり、表示情報は、現在のショートＴＴＩが後のショートＴＴＩのスケジューリング情報を含むということを示すために使用され、
ポーリング・スケジューリング・サブユニットは、現在のショートＴＴＩが表示情報を含むということを特定したことに応答して、入手された現在のショートＴＴＩから後のショートＴＴＩのスケジューリング情報を分析し、後のショートＴＴＩのスケジューリング情報に従って第２のターゲット・ロングＴＴＩから後のショートＴＴＩを分析することになり、
終了実行サブユニットは、現在のショートＴＴＩが表示情報を含まないということを特定したことに応答して、第２のターゲット・ロングＴＴＩからショートＴＴＩを分析することを停止することになる。
【００２８】
本開示の例の第５の態様によれば、ＨＡＲＱフィードバックを入手するための装置が提供され、この装置は、
プロセッサと、
プロセッサによって実行可能な命令を格納するためのメモリとを含み、
プロセッサは、
サービス要件に従ってショートＴＴＩスケジューリング情報を第１のターゲット・ロングＴＴＩへと構成することであって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ送信するように構成されている、構成することと、
第１のターゲット・ロングＴＴＩを通じてショートＴＴＩスケジューリング情報を第２の機器へ送信することと、
ショートＴＴＩスケジューリング情報に従って１つまたは複数のショートＴＴＩを第２のターゲット・ロングＴＴＩにおいてスケジュールすることと、スケジュールされた１つまたは複数のショートＴＴＩを第２の機器へ送信することと、
第２のターゲット・ロングＴＴＩ内で第２の機器によって順次送信される１つまたは複数のショートＴＴＩのそれぞれに関するＨＡＲＱフィードバックを受信することとを行うように構成されている。
【００２９】
本開示の例の第６の態様によれば、ＨＡＲＱフィードバックを伝送するための装置が提供され、この装置は、
プロセッサと、
プロセッサによって実行可能な命令を格納するためのメモリとを含み、
プロセッサは、
第１のターゲット・ロングＴＴＩからショートＴＴＩスケジューリング情報を入手することであって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ伝送するように構成されている、入手することと、
ショートＴＴＩスケジューリング情報に従って、第２のターゲット・ロングＴＴＩからショートＴＴＩのそれぞれを順次分析することと、ショートＴＴＩのうちのそれぞれのＨＡＲＱフィードバック・リソースを通じて第１の機器へＨＡＲＱフィードバックを伝送することとを行うように構成されている。
【発明の効果】
【００３０】
本開示の実施形態において提供されている技術的なスキームは、下記の有益な効果を含むことが可能である。
【００３１】
本開示の例においては、第１の機器がロングＴＴＩを用いて第２の機器へサービス・データを伝送しているときに、待ち時間に敏感なサービス要求が受信された場合には、第１の機器は、事前に設定されたロングＴＴＩにおけるサービス・データの伝送を中断し、ロングＴＴＩにおいて待ち時間に敏感な要求を伝送するためにショートＴＴＩをスケジュールし、ロングＴＴＩにおけるそれぞれのショートＴＴＩにＨＡＲＱフィードバック・リソースを割り当てることが可能であり、それによってショートＴＴＩのサービス・データは、時間内に第２の機器へ送信され、第２の機器によって送信されたそれぞれのショートＴＴＩのＨＡＲＱフィードバックは、時間内に受信される。ショートＴＴＩのＨＡＲＱフィードバック待ち時間が短縮され、データ伝送の柔軟性が改善される。
【００３２】
本開示の例においては、第１の機器は、データを伝送するためにロングＴＴＩが使用されているときにはリアル・タイムで低待ち時間サービス要求をモニタし、低待ち時間サービス要求がモニタされているときには第１のターゲット・ロングＴＴＩにおいてショートＴＴＩスケジューリング情報を構成する。ショートＴＴＩは、低待ち時間サービス・データを伝送するために使用される。この方法においては、低待ち時間サービス要求に対する応答感度が高められる。
【００３３】
本開示の例においては、第１の機器は、ショートＴＴＩスケジューリング情報を、１つのロングＴＴＩに関連付けられている制御シグナリングへと構成して、ショートＴＴＩスケジューリング情報を第２の機器が迅速に入手することを容易にすることが可能であり、それによってショートＴＴＩの分析効率を改善する。あるいは、第１の機器は、ショートＴＴＩスケジューリング情報を、１つのロングＴＴＩに関連付けられているデータ・フィールドへと構成して、ショートＴＴＩスケジューリング情報に対するデータ伝送の干渉を低減し、チャネル伝送の信号対雑音比を改善する。
【００３４】
本開示においては、第１の機器は、１つのロングＴＴＩにおいてスケジュールされることになるすべてのショートＴＴＩのスケジューリング情報を、ロングＴＴＩに関連付けられている制御シグナリングへと構成して、ショートＴＴＩのスケジューリング効率を改善することが可能である。第１の機器は、ネストされた様式でスケジューリング情報を構成することも可能であり、それによって、後のショートＴＴＩのスケジューリング情報が現在のショートＴＴＩにおいて構成されて、構成の柔軟性が増大する。
【００３５】
本開示の例においては、ロングＴＴＩにおけるすべてのショートＴＴＩのスケジューリング情報が第１のターゲット・ロングＴＴＩへと構成される場合には、第１の機器は、スケジューリング情報に従ってすべてのショートＴＴＩのスケジューリングを完了することが可能であり、ひいてはショートＴＴＩのスケジューリング効率が改善され、それによって、第２のターゲット・ロングＴＴＩの伝送待ち時間が短縮される。
【００３６】
本開示の例においては、第１のターゲット・ロングＴＴＩに関連付けられている制御シグナリングが、ロングＴＴＩにおける第１のショートＴＴＩのスケジューリング情報を含む場合には、基地局は、第１のショートＴＴＩを第２のターゲット・ロングＴＴＩへ最初にスケジュールし、第２のショートＴＴＩのスケジューリング情報を第１のショートＴＴＩにおいて構成し、第２のショートＴＴＩをスケジュールすることが可能である。この方法においては、現在のショートＴＴＩをスケジュールしている間に後のショートＴＴＩのスケジューリング情報が構成され、ショートＴＴＩをスケジュールする上での柔軟性が改善され、サービス要件に基づいて第２のターゲット・ロングＴＴＩのリソースが十分に利用されて、リソースの浪費が低減される。
【００３７】
本開示の例においては、ショートＴＴＩのそれぞれに関して、ショートＴＴＩのＨＡＲＱフィードバック・リソースが、ショートＴＴＩの末尾のすぐ隣にあるように構成されており、それによって第２の機器は、ショートＴＴＩを受信した後にリアル・タイムでＨＡＲＱフィードバック・リソースを通じて第１の機器へショートＴＴＩのＨＡＲＱフィードバックを送信して、ショートＴＴＩのＨＡＲＱフィードバック待ち時間を低減させることが可能である。１つまたは複数のショートＴＴＩがスケジュールされた後にロングＴＴＩが予備リソースを有する場合には、最後のショートＴＴＩが、ロングＴＴＩ用に構成されている元のＨＡＲＱフィードバック・リソースを割り当てられる。この方法においては、ロングＴＴＩ用に構成されている元のＨＡＲＱフィードバック・リソースが効果的に利用され、システムの複雑さが低減される。
【００３８】
本明細書に組み込まれており、その一部を構成している添付の図面は、本開示と整合している例を示しており、記述とともに本開示の原理を説明する役割を果たす。
【図面の簡単な説明】
【００３９】
【図１−１】一例による関連した技術分野におけるロングＴＴＩの構造の概略図である。
【００４０】
【図１−２】本開示の一例によるロングＴＴＩの構造の概略図である。
【００４１】
【図２】本開示の一例によるＨＡＲＱフィードバックを入手する方法のフローチャートである。
【００４２】
【図３−１】本開示の一例によるロングＴＴＩの構造の概略図である。
【００４３】
【図３−２】本開示の一例による別のロングＴＴＩの構造の概略図である。
【００４４】
【図３−３】本開示の一例による別のロングＴＴＩの構造の概略図である。
【００４５】
【図４】本開示の一例によるＨＡＲＱフィードバックを入手する別の方法のフローチャートである。
【００４６】
【図５】本開示の一例によるＨＡＲＱフィードバックを入手する別の方法のフローチャートである。
【００４７】
【図６】本開示の一例によるＨＡＲＱフィードバックを入手する別の方法のフローチャートである。
【００４８】
【図７】本開示の一例によるＨＡＲＱフィードバックを入手する別の方法のフローチャートである。
【００４９】
【図８】本開示の一例によるＨＡＲＱフィードバックを入手する別の方法のフローチャートである。
【００５０】
【図９】本開示の一例によるＨＡＲＱフィードバックを入手する別の方法のフローチャートである。
【００５１】
【図１０】本開示の一例によるＨＡＲＱフィードバックを入手する別の方法のフローチャートである。
【００５２】
【図１１】本開示の一例によるＨＡＲＱフィードバックを入手するための装置のブロック図である。
【００５３】
【図１２】本開示の一例によるＨＡＲＱフィードバックを入手するための別の装置のブロック図である。
【００５４】
【図１３】本開示の一例によるＨＡＲＱフィードバックを入手するための別の装置のブロック図である。
【００５５】
【図１４】本開示の一例によるＨＡＲＱフィードバックを入手するための別の装置のブロック図である。
【００５６】
【図１５】本開示の一例によるＨＡＲＱフィードバックを入手するための別の装置のブロック図である。
【００５７】
【図１６】本開示の一例によるＨＡＲＱフィードバックを入手するための別の装置のブロック図である。
【００５８】
【図１７】本開示の一例によるＨＡＲＱフィードバックを入手するための別の装置のブロック図である。
【００５９】
【図１８】本開示の一例によるＨＡＲＱフィードバックを伝送するための装置のブロック図である。
【００６０】
【図１９】本開示の一例によるＨＡＲＱフィードバックを伝送するための別の装置のブロック図である。
【００６１】
【図２０】本開示の一例によるＨＡＲＱフィードバックを伝送するための別の装置のブロック図である。
【００６２】
【図２１】本開示の一例によるＨＡＲＱフィードバックを伝送するための別の装置のブロック図である。
【００６３】
【図２２】本開示の一例によるＨＡＲＱフィードバックを入手するための装置の構造の概略図である。
【００６４】
【図２３】本開示の一例によるＨＡＲＱフィードバックを伝送するための装置の構造の概略図である。
【発明を実施するための形態】
【００６５】
例が、図面において表されているそれらの例とともにここで詳細に記述される。以降の記述が図面を含む場合には、別々の図面における同様の数字は、別段の記載がない限り、同様のまたは類似した要素を指す。以降の例において記述されている実施形態は、本開示と整合するすべての実施形態を表しているわけではない。むしろ、それらは、添付の請求の範囲において詳述されている本開示のいくつかの態様と整合する装置および方法の例にすぎない。
【００６６】
本開示において使用されている用語は、特定の例を記述する目的のためのものにすぎず、本開示を限定することを意図されてはいない。単数形「ａ」、「ａｎ」、および「ｔｈｅ」は、本開示および添付の請求の範囲において使用される際には、複数形も含むことを意図されている（そうではないと文脈が明確に示している場合は除く）。本明細書において使用されている「および／または」という用語は、関連付けられている列挙されたアイテムのうちの１つまたは複数のありとあらゆる可能な組合せを指し、それらを含むということも理解されたい。
【００６７】
「第１の」、「第２の」、「第３の」などの用語が、さまざまな情報を記述するために本明細書において使用されているかもしれないが、それらの情報は、これらの用語によって限定されるべきではないということを理解されたい。これらの用語は、情報の１つのカテゴリーを別のカテゴリーから区別するために使用されているにすぎない。たとえば、本開示の範囲から逸脱することなく、第１の情報が第２の情報と呼ばれることが可能であり、また同様に、第２の情報が第１の情報と呼ばれることも可能である。「ｉｆ」という用語は、本明細書において使用される際には、文脈に応じて「ｗｈｅｎ」または「ｕｐｏｎ」または「ｉｎ  ｒｅｓｐｏｎｓｅ  ｔｏ  ｄｅｔｅｒｍｉｎｉｎｇ」と解釈されることが可能である。
【００６８】
はじめに、本開示に含まれている第１の機器および第２の機器は、基地局、サブ基地局、ユーザ機器などであることが可能である。ユーザ機器（ＵＥ）は、モバイル通信機能を有する機器、たとえば、ユーザ端末、ユーザ・ノード、モバイル端末、タブレット・コンピュータなどであることが可能である。上述の機器は、５Ｇセルラー通信システムに当てはまる。
【００６９】
本開示のＨＡＲＱメカニズムが記述される。ＨＡＲＱ伝送メカニズムにおいては、事前に設定されたＴＴＩを用いてダウンリンク・サービス・データを第２の機器へ伝送した後に、第１の機器は、一時停止し、第２の機器によって送信されたＨＡＲＱフィードバックを受信するのを待つ。第２の機器は、それぞれの受信されたサービス・データ・パケット上でエラー検知を実行する。受信が正しい場合には、肯定応答ＡＣＫ信号が生成され、受信エラーが発生している場合には、否定応答ＮＡＣＫ信号が生成される。第２の機器は、指定されたＨＡＲＱフィードバック・リソースを通じて第１の機器へＨＡＲＱフィードバックを返す。ＡＣＫ信号が受信された場合には、第１の機器は、新たなダウンリンク・サービス・データ・パケットを第２の機器へ伝送する。ＮＡＣＫ信号が受信された場合には、第１の機器は、最後に伝送されたサービス・データ・パケットを第２の機器へ再送する。
【００７０】
本開示の例示的な適用シナリオにおいては、ｍＭＴＣサービス・データなど、待ち時間に敏感ではないサービスのデータを第１の機器がロングＴＴＩを用いて第２の機器へ伝送している間に、第２の機器によって送信されたＵＲＬＬＣサービスなど、待ち時間に敏感なサービスを入手するためのサービス要求を第１の機器が受信する。このケースにおいては、第１の機器は、ｍＭＴＣサービス・データの伝送を中断し、ロングＴＴＩのうちの少なくとも１つにおいて少なくとも１つのショートＴＴＩをスケジュールし、それによって第１の機器は、時間内にショートＴＴＩによって第２の機器へ搬送されたＵＲＬＬＣサービス・データを伝送し、ショートＴＴＩのＨＡＲＱフィードバックを第１の機器が迅速に入手できることが確実にされる。ロングＴＴＩの長さは、ショートＴＴＩの長さよりも大きい。ＴＴＩの長さは、タイム・ピリオドと呼ばれる場合もある。たとえば、ロングＴＴＩの長さは、１０ｍｓであり、ショートＴＴＩの長さは、１ｍｓ、２ｍｓ、４ｍｓなどであることが可能である。
【００７１】
これに基づいて、本開示は、ＨＡＲＱフィードバックを入手する方法を提供し、この方法は、第１の機器に適用される。図２は、一例によるＨＡＲＱフィードバックを入手する方法のフローチャートである。この方法は、下記を含むことが可能である。
【００７２】
ステップ１１において、ユーザ要件に従ってショートＴＴＩスケジューリング情報が第１のターゲット・ロングＴＴＩへと構成され、そのスケジューリング情報は、少なくとも、ロケーション情報、長さ情報、量情報、およびショートＴＴＩのＨＡＲＱフィードバック・リソースのロケーション情報を含む。第２の機器が、ショートＴＴＩのＨＡＲＱフィードバック・リソースを通じて第１の機器へショートＴＴＩのＨＡＲＱフィードバックを送信する。
【００７３】
本開示においては、第１の機器は、ショートＴＴＩスケジューリング情報を第１のターゲット・ロングＴＴＩへと構成する。そのスケジューリング情報に従って、第１の機器は、事前に設定されたロングＴＴＩにおいてショートＴＴＩをどのようにしてスケジュールするかを知ることが可能である。ショートＴＴＩスケジューリング情報を入手した後に、第２の機器は、ショートＴＴＩをどのようにして受信および処理するかを知ることが可能である。
【００７４】
図１−１と併せて、上述の適用シナリオによれば、第１の機器がｍＭＴＣサービス・データを伝送するために２２番目のロングＴＴＩをスケジュールする準備を整えている場合には、ＵＲＬＬＣサービス・データを入手しているサービス要求情報が、第２の機器から受信される。この時点で、第１の機器は、ｍＭＴＣサービス・データの伝送を一時的に中断し、ショートＴＴＩスケジューリング情報を２２番目のロングＴＴＩへと構成する。２２番目のロングＴＴＩは、本開示においては第１のターゲット・ロングＴＴＩである。すなわち、ショートＴＴＩスケジューリング情報は、第１のターゲット・ロングＴＴＩへと構成される。第１の機器は、第１のターゲット・ロングＴＴＩを通じてショートＴＴＩスケジューリング情報を第２の機器へ送信することが可能である。
【００７５】
本開示においては、第１の機器によって構成されるショートＴＴＩスケジューリング情報は、少なくとも、ロケーション情報、長さ情報、および量情報、ならびにショートＴＴＩのＨＡＲＱフィードバック・リソースのロケーション情報を含む。
【００７６】
ショートＴＴＩのロケーション情報は、ショートＴＴＩを用いてスケジュールされることになるロングＴＴＩを示すために使用され、そのロケーション情報は、ロングＴＴＩのシリアル・ナンバー、たとえば、シリアル・ナンバー２３番目、またはロングＴＴＩの位置オフセット値、すなわち、現在のロングＴＴＩに対するショートＴＴＩを用いてスケジュールされるロングＴＴＩの位置オフセット値であることが可能である。上述されているように、ショートＴＴＩスケジューリング情報は、現在は２２番目のロングＴＴＩへと構成されており、ショートＴＴＩが２３番目のロングＴＴＩへとスケジュールされることになると指定されている場合には、上述されている位置オフセット値は１である。上では、ショートＴＴＩが後のロングＴＴＩにおいて遅延を伴ってスケジュールされるケースについて記述している。本開示の一例においては、ショートＴＴＩのロケーション情報は、ショートＴＴＩが現在のロングＴＴＩにおいてスケジュールされることになるということを示すために使用されることが可能である。このケースに関しては、上述のＴＴＩのロケーション情報は、シリアル・ナンバー２２番目、またはゼロである位置オフセット値として表されることが可能である。
【００７７】
ショートＴＴＩの長さ情報は、スケジュールされることになるショートＴＴＩの長さを示す。本開示の一例においては、１ｍｓなど、同じ長さを有する複数のショートＴＴＩがロングＴＴＩにおいてスケジュールされることが可能である。ショートＴＴＩの長さがロングＴＴＩの長さの１／整数に等しい場合には、たとえば、長さ情報は、１０ｍｓ／Ｎとして表されることが可能であり、この場合、整数Ｎは、１よりも大きい自然数である。本開示の別の例においては、別々の長さを有するショートＴＴＩどうしがロングＴＴＩにおいてスケジュールされることが可能である。たとえば、スケジュールされることになるショートＴＴＩは、表１において示されているように、ショートＴＴＩのカテゴリーおよび長さの間における対応に従って３つのカテゴリーへと分類される。
【表１】
0006893243.tif 000002
【００７８】
ショートＴＴＩの量情報は、ロングＴＴＩにおいてスケジュールされることになるショートＴＴＩの量を示す。スケジュールされることになるショートＴＴＩどうしの長さが同じである場合には、量情報は、２などの整数Ｎを示すことが可能である。たとえば、長さ情報が１０ｍｓ／２ｎとして表されることが可能である場合には、量情報は、２ｎ、または２の指数ｎのみとして表されることが可能であり、この場合、ｎは、１以上の自然数である。この方法においては、スケジューリング情報のデータの量が可能な限り低減され、シグナリング・オーバーヘッドが低減される。
【００７９】
スケジュールされることになるショートＴＴＩどうしの長さが異なる場合には、ショートＴＴＩのカテゴリーおよび／または長さおよび量の間における対応を記録するためにショートＴＴＩ量リストが使用されることが可能である。たとえば、ショートＴＴＩ量リストが、ショートＴＴＩのカテゴリーおよび量の間における対応を記録する場合には、ショートＴＴＩ量リストは、表２において示されているとおりであることが可能である。
【表２】
0006893243.tif 000003
量を構成する場合には、スケジュールされることになるすべてのショートＴＴＩの長さの合計が１つのロングＴＴＩの長さを超えないように、スケジュールされることになるショートＴＴＩのうちのそれぞれの長さ情報が考慮される。表２において示されているように、１ｍｓ×１＋２ｍｓ×１＋４ｍｓ×１＝７ｍｓであるスケジュールされることになるすべてのショートＴＴＩの長さの合計は、１つのロングＴＴＩの長さ１０ｍｓ未満である。
【００８０】
ショートＴＴＩのＨＡＲＱフィードバック・リソースのロケーション情報は、そのショートＴＴＩに関連付けられているどの部分がＨＡＲＱフィードバック・リソースを伴って構成されているかを示すために使用される。
【００８１】
本開示の一例においては、それぞれのショートＴＴＩは、対応するＨＡＲＱフィードバック・リソースを伴って構成されている。本開示においては、ショートＴＴＩのＨＡＲＱフィードバック・リソースは、少なくとも２つの様式で構成されることが可能である。
【００８２】
第１の様式においては、それぞれのショートＴＴＩに関して、ショートＴＴＩのＨＡＲＱフィードバック・リソースは、ショートＴＴＩの末尾のすぐ隣にあるように構成されている。
【００８３】
図３−１は、ショートＴＴＩがスケジュールされた後のターゲット・ロングＴＴＩの構造の概略図である。一例においては、ショートＴＴＩ２００に対応するＨＡＲＱフィードバック・リソース２０３が、ショートＴＴＩ２００の末尾において構成されることが可能である。すなわち、ショートＴＴＩ２００のうちのそれぞれの末尾は、１つのＨＡＲＱフィードバック・リソース２０３のすぐ隣にある。
【００８４】
本開示の一例においては、１つまたは複数のショートＴＴＩがスケジュールされた後に（図３−１における空白に対応する）予備リソースをロングＴＴＩが有する場合には、１つのケースにおいては、ショートＴＴＩの伝送効率を改善するために、それらの予備リソースは、もはや使用されない。別のケースにおいては、リソースの浪費を回避する目的で、上述の予備リソースは、待ち時間に敏感ではないデータを引き続きスケジュールするために使用されることが可能である。１ｍｓのショートＴＴＩが１０ｍｓのロングＴＴＩにおいてスケジュールされた後には９ｍｓの残りのリソースがあると想定され、ロングＴＴＩにもともと割り当てられていたデータが１〜１０であると想定すると、データ１〜９が、上述の予備リソースを用いて伝送されることが可能である。
【００８５】
第２の様式においては、１つまたは複数のショートＴＴＩがスケジュールされた後にロングＴＴＩが予備リソースを有する場合には、最後のショートＴＴＩは、ロングＴＴＩ用に構成されている元のＨＡＲＱフィードバック・リソースを使用するように指定される。
【００８６】
図３−２は、ショートＴＴＩがスケジュールされた後の別のターゲット・ロングＴＴＩの構造の概略図である。３つのショートＴＴＩ２００が１つのロングＴＴＩにおいてスケジュールされた後には、（図３−２における空白に対応する）より少ない予備リソースが残る。ロングＴＴＩ用に構成されている元のＨＡＲＱフィードバック・リソース１０３が、第３のショートＴＴＩのＨＡＲＱフィードバック・リソースとして指定されることが可能である。したがって、ロングＴＴＩ用に構成されている元のＨＡＲＱフィードバック・リソースの有効性が保持され、１つのロングＴＴＩにおける構成されるＨＡＲＱフィードバック・リソースの数が低減され、システムの複雑さが低減される。
【００８７】
図４は、一例によるＨＡＲＱフィードバックを入手する別の方法のフローチャートである。上述のステップ１１は、下記を含むことが可能である。
【００８８】
ステップ１１１において、データを伝送するためにロングＴＴＩが使用されているときには、低待ち時間サービス要求がモニタされる。
【００８９】
図１−１において示されているシナリオにおいては、第１の機器は、ｍＭＴＣサービス・データを第２の機器へ伝送するために５０個のロングＴＴＩを伴ってもともと構成されている。第１の機器がｍＭＴＣサービス・データを送信するためにロングＴＴＩを使用しているときには、第２の機器によって送信されるサービス要求が同時にモニタされる。第１の機器は、モニタされたサービス要求に従って、モニタされたサービス要求が低待ち時間サービス要求に属するかどうかを特定する。「はい」の場合には、下記のステップ１１２が実行され、「いいえ」の場合には、モニタされたサービス要求は、処理されないことが可能であり、または遅延処理されることが可能であり、たとえば、上述の５０個のロングＴＴＩの伝送が完了された後に、モニタされたサービス要求が処理される。
【００９０】
ステップ１１２において、低待ち時間サービス要求がモニタされているということを特定したことに応答して、ショートＴＴＩスケジューリング情報は、第１のターゲット・ロングＴＴＩへと構成され、低待ち時間サービス・データは、ショートＴＴＩを用いて伝送されることになる。
【００９１】
図１−１において示されているように、第１の機器がはじめの２１個のロングＴＴＩを送信して、２２番目のロングＴＴＩを送信しつつあるときに、ＵＲＬＬＣサービス要求などの低待ち時間サービス要求がモニタされる。次いで第１の機器は、ｍＭＴＣサービス・データの伝送を中断し、好ましくは、ショートＴＴＩスケジューリング情報を２２番目のロングＴＴＩへと構成する。
【００９２】
本開示の例においては、ロングＴＴＩに関連付けられているどの部分がショートＴＴＩスケジューリング情報を伴って構成されることになるかに関して、下記の２つのケースが含まれることが可能である。
【００９３】
第１のケースにおいては、ショートＴＴＩスケジューリング情報は、第１のターゲット・ロングＴＴＩに関連付けられている制御シグナリングへと構成される。
【００９４】
図１−１において示されているロングＴＴＩの構造の概略図において示されているように、ショートＴＴＩスケジューリング情報は、２２番目のロングＴＴＩのヘッダに配置される制御シグナリング１０１へと構成されることが可能であり、それは、ＰＤＣＣＨ（Ｐｈｙｓｉｃａｌ  Ｄｏｗｎｌｉｎｋ  Ｃｏｎｔｒｏｌ  Ｃｈａｎｎｅｌ）によって搬送された制御シグナリングを伝送するのに適用可能である。
【００９５】
本開示の例においては、スケジューリング情報に対応するショートＴＴＩの量に従って、スケジューリング情報を構成するための２つの様式がある。
【００９６】
第１の構成様式においては、ロングＴＴＩにおいてスケジュールされることになるすべてのショートＴＴＩのスケジューリング情報が、第１のターゲット・ロングＴＴＩに関連付けられている制御シグナリングへと構成される。
【００９７】
図１−１における２３番目のロングＴＴＩである第２のターゲット・ロングＴＴＩを一例として取り上げる。３つのショートＴＴＩが２３番目のロングＴＴＩにおいてスケジュールされることになり、３つのショートＴＴＩのうちのそれぞれの長さが同じであると想定され、それは、１ｍｓであると想定される。それぞれのショートＴＴＩのＨＡＲＱフィードバック・リソースは、ショートＴＴＩの末尾のすぐ隣にある。このケースにおいては、２２番目のロングＴＴＩの制御シグナリング１０１へと構成されるショートＴＴＩスケジューリング情報は、２３番目のロングＴＴＩを示すロケーション情報、１ｍｓである長さ情報、３を示す量情報、それぞれのショートＴＴＩの末尾のすぐ隣を示すＨＡＲＱフィードバック・リソースのロケーション情報を含むことが可能である。
【００９８】
本開示の別の例においては、ショートＴＴＩスケジューリング情報は、下記の表３において示されているように、第１のスケジューリング情報リストの形式であること、および２２番目のロングＴＴＩに関連付けられている制御シグナリング１０１へと構成されることも可能である。
【表３】
0006893243.tif 000004
【００９９】
第２の構成様式においては、ロングＴＴＩにおける第１のショートＴＴＩのスケジューリング情報が、第１のターゲット・ロングＴＴＩに関連付けられている制御シグナリングへと構成され、後のショートＴＴＩのスケジューリング情報が、第２のターゲット・ロングＴＴＩにおける後のショートＴＴＩのすぐ前のショートＴＴＩに関連付けられているサブ制御シグナリングにおいて構成される。
【０１００】
図１−１における２３番目のロングＴＴＩである第２のターゲット・ロングＴＴＩを一例として取り上げる。３つのショートＴＴＩが２３番目のロングＴＴＩにおいてスケジュールされることになり、３つのショートＴＴＩのうちのそれぞれの長さが同じであると想定され、それは、１ｍｓであると想定される。それぞれのショートＴＴＩのＨＡＲＱフィードバック・リソースは、ショートＴＴＩの末尾のすぐ隣にある。
【０１０１】
本開示においては、２３番目のロングＴＴＩにおける第１のショートＴＴＩのスケジューリング情報が、２２番目のロングＴＴＩに関連付けられている制御シグナリングへと構成されることが可能であり、第１のショートＴＴＩ、すなわち、２３番目のロングＴＴＩのロケーション情報、第１のショートＴＴＩの長さ情報、第１のショートＴＴＩの量情報、および第１のショートＴＴＩのＨＡＲＱフィードバック・リソースのロケーション情報に加えて、第１のショートＴＴＩのスケジューリング情報はさらに、表示情報を含む。表示情報は、第１のショートＴＴＩが後のショートＴＴＩのスケジューリング情報を含むということを示すために使用される。より具体的には、表示情報は、第１のショートＴＴＩに関連付けられているサブ制御シグナリングが後のショートＴＴＩのスケジューリング情報を含むということを示すために使用される。
【０１０２】
たとえば、２２番目のロングＴＴＩに関連付けられている制御シグナリング１０１へと構成される第１のショートＴＴＩのスケジューリング情報は、表４において示されているように、第２のスケジューリング情報リストにおいて記録されることが可能である。
【表４】
0006893243.tif 000005
表４において示されているように、表示情報Ｙは、２３番目のロングＴＴＩにおける第１のショートＴＴＩが第２のショートＴＴＩのスケジューリング情報を含むということを示す。
【０１０３】
第２のケースにおいては、ショートＴＴＩスケジューリング情報は、第１のターゲット・ロングＴＴＩに関連付けられているデータ・フィールドへと構成され、ショートＴＴＩスケジューリング情報のロケーション情報は、第１のターゲット・ロングＴＴＩに関連付けられている制御シグナリングへと構成される。そのロケーション情報は、現在のロングＴＴＩに関連付けられているデータ・フィールドにおけるショートＴＴＩスケジューリング情報のストレージ・ロケーションを示すために使用される。それは、ｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）によって制御情報が搬送されるケースに適用可能である。
【０１０４】
図１−１において示されているロングＴＴＩの構造の概略図に基づいて、第１の機器は、ショートＴＴＩスケジューリング情報を、２２番目のロングＴＴＩに関連付けられているデータ・フィールド１０２へと構成することも可能である。このケースにおいては、２２番目のロングＴＴＩの制御シグナリング１０１も、データ・フィールド１０２におけるショートＴＴＩスケジューリング情報のストレージ・ロケーションを示すために使用されるショートＴＴＩスケジューリング情報のロケーション情報を伴って構成される必要がある。第１のケースにおけるスケジューリング情報を構成するための構成様式と同様に、第２のケースは、ロングＴＴＩに関連付けられているデータ・フィールドにおける１つまたは複数のショートＴＴＩのスケジューリング情報を構成するための２つの構成様式を使用することも可能であり、さらなる詳細は省略されている。
【０１０５】
ステップ１２において、ショートＴＴＩスケジューリング情報は、第１のターゲット・ロングＴＴＩを通じて第２の機器へ送信される。
【０１０６】
それに対応して、第２の機器は、第１のターゲット・ロングＴＴＩを受信し、第１のターゲット・ロングＴＴＩからショートＴＴＩスケジューリング情報を入手する。この方法においては、第２の機器がその後に、ショートＴＴＩを用いてスケジュールされた第２のターゲット・ロングＴＴＩを受信した場合には、第２の機器は、ショートＴＴＩスケジューリング情報に従って第２のターゲット・ロングＴＴＩからショートＴＴＩを入手し、そのショートＴＴＩに対応するＨＡＲＱフィードバックを第１の機器へ送信する。
【０１０７】
ステップ１３において、１つまたは複数のショートＴＴＩが、ショートＴＴＩスケジューリング情報に従って第２のターゲット・ロングＴＴＩにおいてスケジュールされ、スケジュールされた１つまたは複数のショートＴＴＩは、第２のターゲット・ロングＴＴＩを通じて第２の機器へ送信される。
【０１０８】
一例においては、第１のターゲット・ロングＴＴＩおよび第２のターゲット・ロングＴＴＩは、同じロングＴＴＩであることが可能であるということに留意されたい。別の例においては、第２のターゲット・ロングＴＴＩは、第１のターゲット・ロングＴＴＩの後のロングＴＴＩであることも可能である。
【０１０９】
ステップ１３は、ショートＴＴＩスケジューリング情報に従って第２のターゲット・ロングＴＴＩ内でショートＴＴＩを順次スケジュールすることと、ショートＴＴＩのそれぞれにＨＡＲＱフィードバック・リソースを順次割り当てることと、ショートＴＴＩを用いてスケジュールされた第２のターゲット・ロングＴＴＩを第２の機器へ送信することとを特に含む。
【０１１０】
ショートＴＴＩスケジューリング情報に関する２つの構成様式に対応して、ステップ１３は、ショートＴＴＩをスケジュールするための少なくとも２つの実施様式を含むことも可能である。
【０１１１】
第１のスケジューリング様式においては、ロングＴＴＩにおけるすべてのショートＴＴＩのスケジューリング情報が、たとえば第１の構成様式で、第１のターゲット・ロングＴＴＩへと構成されている場合に、第１の機器は、スケジューリング情報に従って、第２のターゲットＴＴＩ内でそれぞれのショートＴＴＩを順次スケジュールし、それぞれのショートＴＴＩにＨＡＲＱフィードバック・リソースを順次割り当てる。図３−１は、上記の表３におけるスケジューリング情報に従って３つのショートＴＴＩが２３番目のロングＴＴＩにおいてスケジュールされた後の２３番目のロングＴＴＩの構造の例示的な概略図である。スケジューリング情報において構成されている第３のショートＴＴＩのＨＡＲＱフィードバック・リソースのロケーション差に従って、図３−２は、３つのショートＴＴＩが２３番目のロングＴＴＩにおいてスケジュールされた後の２３番目のロングＴＴＩの別の構造の例示的な概略図である。図３−３は、１つのショートＴＴＩがロングＴＴＩにおいてスケジュールされた後のロングＴＴＩの構造の例示的な概略図である。
【０１１２】
第２のスケジューリング様式においては、ロングＴＴＩにおける第１のショートＴＴＩのスケジューリング情報のみが第１のターゲット・ロングＴＴＩへと構成されている場合に、図５は、一例によるＨＡＲＱフィードバックを入手する別の方法のフローチャートである。上述のステップ１３は、下記を含むことが可能である。
【０１１３】
ステップ１３１において、第１のショートＴＴＩのスケジューリング情報に従って、第１のショートＴＴＩは、第２のターゲット・ロングＴＴＩ用にスケジュールされ、ＨＡＲＱフィードバック・リソースは、第１のショートＴＴＩに割り当てられる。
【０１１４】
ステップ１３２において、第１のショートＴＴＩから最後から２番目のショートＴＴＩに関して、現在のショートＴＴＩに関連付けられているサブ制御シグナリングにおいて後のショートＴＴＩのスケジューリング情報を構成するオペレーション、および後のショートＴＴＩのスケジューリング情報に従って、後のショートＴＴＩをスケジュールし、後のショートＴＴＩにＨＡＲＱフィードバック・リソースを割り当てるオペレーションが順次実行される。
【０１１５】
現在のショートＴＴＩのスケジューリング情報は、少なくとも、長さ情報、ＨＡＲＱフィードバック・リソースのロケーション情報、および表示情報を含む。
【０１１６】
たとえば、３つのショートＴＴＩが１つのロングＴＴＩにおいてスケジュールされることになるケースを一例として取り上げ、第１のショートＴＴＩのスケジューリング情報は、上記の表４において示されているとおりである。図６は、一例によるＨＡＲＱフィードバックを入手する別の方法のフローチャートである。上述のステップ１３２は、下記を特に含むことが可能である。
【０１１７】
ステップ１３２１において、第２のショートＴＴＩのスケジューリング情報が、第１のショートＴＴＩに関連付けられているサブ制御シグナリングにおいて構成される。
【０１１８】
上で示されているように、第１の機器が、表４において示されているスケジューリング情報に従って２３番目のロングＴＴＩにおいて第１のショートＴＴＩをスケジュールした後に、第１の機器は、第１のショートＴＴＩに関連付けられているサブ制御シグナリングにおいて第２のショートＴＴＩのスケジューリング情報を構成することが可能である。
【０１１９】
第２のショートＴＴＩのスケジューリング情報は、表４において示されている情報と同じであることが可能であり、または表５において示されているように、ロケーション情報および量情報が省略される。
【表５】
0006893243.tif 000006
【０１２０】
表４と比較して、表５においては、スケジューリング情報のデータ・ボリュームが低減され、ひいては、サブ制御シグナリングのデータ・ボリュームが低減されることが可能であり、それによってチャネル伝送リソースが節約される。
【０１２１】
ステップ１３２２において、第２のショートＴＴＩが、第２のターゲット・ロングＴＴＩにおいてスケジュールされ、第２のショートＴＴＩのスケジューリング情報に従ってＨＡＲＱフィードバック・リソースが割り当てられる。
【０１２２】
ステップ１３２３において、第３のショートＴＴＩのスケジューリング情報が、第２のショートＴＴＩに関連付けられているサブ制御シグナリングにおいて構成される。
【０１２３】
たとえば、第３のショートＴＴＩのスケジューリング情報は、表６において示されているとおりであることが可能である。
【表６】
0006893243.tif 000007
【０１２４】
表５と比較して、表６は表示情報を含んでおらず、これは、第３のショートＴＴＩが後のショートＴＴＩのスケジューリング情報を含んでいないということを示している。すなわち、第１の機器が第２のターゲット・ロングＴＴＩにおいて第３のショートＴＴＩをスケジュールした後に、その他のショートＴＴＩはもはや、この第２のターゲット・ロングＴＴＩにおいてスケジュールされない。
【０１２５】
ステップ１３２４において、第３のショートＴＴＩが、第２のターゲット・ロングＴＴＩにおいてスケジュールされ、第３のショートＴＴＩのスケジューリング情報に従ってＨＡＲＱフィードバック・リソースが割り当てられる。
【０１２６】
第４のショートＴＴＩが２３番目のロングＴＴＩにおいてスケジュールされないので、サブ制御シグナリングは、第３のショートＴＴＩへと構成されないことが可能である。
【０１２７】
上述のステップ１３２１〜１３２４は、後のショートＴＴＩのスケジューリング情報を構成すること、およびそれらのショートＴＴＩを第２のターゲット・ロングＴＴＩにおいてスケジュールすることをどのようにして行うかを例示的に記述している。
【０１２８】
第２のターゲット・ロングＴＴＩが、第１のターゲット・ロングＴＴＩのすぐ後のロングＴＴＩである場合には、ショートＴＴＩスケジューリング情報が構成された後に、第１の機器は、そのショートＴＴＩスケジューリング情報に従って１つまたは複数のショートＴＴＩを第２のターゲット・ロングＴＴＩにおいてスケジュールすること、ならびに次いで第１のターゲット・ロングＴＴＩ、および１つまたは複数のショートＴＴＩを用いてスケジュールされた第２のターゲット・ロングＴＴＩを第２の機器へ順次送信することが可能であるということに留意されたい。
【０１２９】
第１のターゲット・ロングＴＴＩおよび第２のターゲット・ロングＴＴＩが同じロングＴＴＩである場合には、最初に第１のターゲット・ロングＴＴＩを通じて第２の機器へショートＴＴＩスケジューリング情報を送信することは必要ではない。
【０１３０】
ステップ１４において、第２のターゲット・ロングＴＴＩ内で第２の機器によって順次送信された１つまたは複数のショートＴＴＩのそれぞれに関するＨＡＲＱフィードバックが受信される。
【０１３１】
第２のターゲット・ロングＴＴＩを受信した後に、第２の機器は、入手されたショートＴＴＩスケジューリング情報に従ってそれぞれのショートＴＴＩを順次分析することが可能である。１つのショートＴＴＩが分析された後には、そのショートＴＴＩに対応するＨＡＲＱフィードバックが生成され、そのＨＡＲＱフィードバックは、そのショートＴＴＩに対応するＨＡＲＱフィードバック・リソースを通じて第１の機器へ送信され、それによって第１の機器は、時間内にそのショートＴＴＩのＨＡＲＱフィードバックを受信し、そのＨＡＲＱフィードバックに従って、そのショートＴＴＩが再送される必要があるかどうかを特定することが可能である。したがって、ショートＴＴＩのフィードバック待ち時間が低減され、待ち時間に敏感なサービスのデータが優先的に配信されることが確実にされる。
【０１３２】
それに対応して、本開示はさらに、ＨＡＲＱフィードバックを伝送する方法を提供し、この方法は、第２の機器に適用される。図７は、一例によるＨＡＲＱフィードバックを伝送する方法のフローチャートである。この方法は、下記を含む。
【０１３３】
ステップ２１において、第１のターゲット・ロングＴＴＩからショートＴＴＩスケジューリング情報が入手される。ショートＴＴＩスケジューリング情報は、少なくとも、ロケーション情報、長さ情報、量情報、およびショートＴＴＩのＨＡＲＱフィードバック・リソースのロケーション情報を含む。第２の機器は、ショートＴＴＩのＨＡＲＱフィードバック・リソースを通じて第１の機器へショートＴＴＩのＨＡＲＱフィードバックを伝送する。
【０１３４】
第１の機器が、図１−１において示されているように５０個のロングＴＴＩを第２の機器へ順次送信する場合には、第２の機器は、どのロングＴＴＩがショートＴＴＩを用いてスケジュールされているかがわからない。したがって第２の機器は、第１の機器によってロングＴＴＩにおいて構成されたショートＴＴＩスケジューリング情報を最初に入手し、それによって第２の機器は、ショートＴＴＩスケジューリング情報に従ってショートＴＴＩを分析する。
【０１３５】
ロングＴＴＩを受信するプロセスにおいてショートＴＴＩスケジューリング情報をどのようにして入手するかに関して、図８は、本開示の一例によるＨＡＲＱフィードバックを入手する別の方法のフローチャートである。ステップ２１は、下記を含むことが可能である。
【０１３６】
ステップ２１１において、ショートＴＴＩスケジューリング情報がロングＴＴＩのそれぞれに含まれるかどうかがモニタされて、モニタリング結果が入手される。
【０１３７】
第１の機器が情報構成を実行する際に、第１の機器は、それぞれのロングＴＴＩにおいて制御シグナリングを構成すること、または制御シグナリングを間欠的に構成することが可能である。第２の機器は、どのロングＴＴＩが制御シグナリングを伴って構成されているかがわからず、どのロングＴＴＩが、ショートＴＴＩスケジューリング情報を用いて構成されている制御シグナリングに関連付けられているかもわからないので、モニタリング・メカニズムがアクティブ化されて、ロングＴＴＩのそれぞれがショートＴＴＩスケジューリング情報を含むかどうかをモニタして、モニタリング結果を入手することが可能である。
【０１３８】
ステップ２１２において、現在のロングＴＴＩがショートＴＴＩスケジューリング情報を含むということをモニタリング結果が示している場合には、現在のロングＴＴＩが、第１のターゲット・ロングＴＴＩとして特定される。
【０１３９】
本開示の例においては、第２の機器のモニタリング結果は、ビット０または１によって表されることが可能である。たとえば、モニタリング結果が１である場合には、それは、現在のロングＴＴＩがショートＴＴＩスケジューリング情報を含むということを示しており、現在のロングＴＴＩは、第１のターゲット・ロングＴＴＩとして特定される。
【０１４０】
ステップ２１３において、第１のターゲット・ロングＴＴＩからショートＴＴＩスケジューリング情報が分析される。
【０１４１】
第１のターゲット・ロングＴＴＩが特定された後に、ロングＴＴＩに関連付けられている制御シグナリングまたはデータ・フィールドからショートＴＴＩスケジューリング情報が分析されることが可能である。
【０１４２】
ステップ２２において、ショートＴＴＩスケジューリング情報に従って、第２のターゲット・ロングＴＴＩからショートＴＴＩのそれぞれが順次分析され、ショートＴＴＩのうちのそれぞれのＨＡＲＱフィードバック・リソースを通じて第１の機器へＨＡＲＱフィードバックが伝送される。
【０１４３】
第２の機器は、最初にショートＴＴＩスケジューリング情報に従って第２のターゲット・ロングＴＴＩを特定し、次いで第２のターゲット・ロングＴＴＩにおいてショートＴＴＩを１つずつ順次受信し、ＨＡＲＱ情報をフィードバックする。
【０１４４】
具体的には、図９を参照すると、図９は、一例によるＨＡＲＱフィードバックを伝送する別の方法のフローチャートである。上述のステップ２２は、下記を含むことが可能である。
【０１４５】
ステップ２２１において、ショートＴＴＩを用いてスケジュールされることになる第２のターゲット・ロングＴＴＩが、ショートＴＴＩのロケーション情報に従って特定される。
【０１４６】
第２の機器が、表３において示されているように、受信された２２番目のロングＴＴＩにおけるショートＴＴＩスケジューリング情報を入手すると想定される。次いでユーザ機器は、上記の表３から第１の機器が２３番目のロングＴＴＩにおいてショートＴＴＩをスケジュールすることになるということを知る。
【０１４７】
ステップ２２２において、ショートＴＴＩの長さ情報および量情報に従って第２のターゲット・ロングＴＴＩにおけるショートＴＴＩのそれぞれが入手される。
【０１４８】
上述のショートＴＴＩのうちの１つは、第２のターゲット・ロングＴＴＩにおけるショートＴＴＩのうちのいずれか１つであることが可能である。
【０１４９】
表３において示されているスケジューリング情報を一例として取り上げる。第２の機器が、ショートＴＴＩの長さ情報および量情報に従って２３番目のロングＴＴＩにおける第１のショートＴＴＩ、第２のショートＴＴＩ、および第３のショートＴＴＩを順次入手する。
【０１５０】
第１のターゲット・ロングＴＴＩが１つのショートＴＴＩのみのスケジューリング情報を含むケースにおいては、図１０を参照すると、図１０は、一例によるＨＡＲＱフィードバックを伝送する別の方法のフローチャートである。ステップ２２２は、下記を含むことが可能である。
【０１５１】
ステップ２２２１において、量情報が１を示している場合には、長さ情報に従って第２のターゲット・ロングＴＴＩにおける第１のショートＴＴＩが入手される。
【０１５２】
すなわち、第１のターゲット・ロングＴＴＩからショートＴＴＩスケジューリング情報を入手した後に、第２の機器は、そのスケジューリング情報における量情報をチェックする。量情報が１を示している場合には、それは、少なくとも１つのショートＴＴＩが第２のターゲット・ロングＴＴＩにおいてスケジュールされるということを示している。第１のショートＴＴＩは、スケジューリング情報において記録されているショートＴＴＩの長さ情報に従って第２のターゲット・ロングＴＴＩから分析されることが可能である。
【０１５３】
いくつのショートＴＴＩが第２のターゲット・ロングＴＴＩにおいてスケジュールされるかに関しては、２つのケースがあり得る。第１のケースにおいては、図３−３において示されているように、１つのショートＴＴＩのみが、第２のターゲット・ロングＴＴＩにおいてスケジュールされる。第２のケースにおいては、第２のターゲット・ロングＴＴＩは、少なくとも２つのショートＴＴＩを含み、後のＴＴＩのスケジューリング情報は、第１のターゲット・ロングＴＴＩにおいて構成されない。
【０１５４】
複数のショートＴＴＩが第２のターゲット・ロングＴＴＩにおいてスケジュールされるかどうかを特定するために、第１のショートＴＴＩから開始して、下記のステップ２２２２から２２２４が順次実行される。
【０１５５】
ステップ２２２２において、現在のショートＴＴＩが後のショートＴＴＩのスケジューリング情報を含むということを示すための表示情報を現在のショートＴＴＩのスケジューリング情報が含むかどうかが特定され、「はい」の場合には、ステップ２２２３が実行され、「いいえ」の場合には、ステップ２２２５が実行される。
【０１５６】
たとえば、第２のターゲット・ロングＴＴＩが２３番目のロングＴＴＩであると想定すると、２３番目のロングＴＴＩにおける第１のショートＴＴＩが後のショートＴＴＩのスケジューリング情報を含むということを示すために第１のショートＴＴＩの表示情報が使用される。
【０１５７】
ステップ２２２３において、現在のショートＴＴＩのスケジューリング情報が表示情報を含む場合には、現在のショートＴＴＩから後のショートＴＴＩのスケジューリング情報が分析される。
【０１５８】
上述されているように、第１のショートＴＴＩから第２のショートＴＴＩのスケジューリング情報が入手される。具体的には、第１のショートＴＴＩに関連付けられているサブ制御シグナリングから第２のショートＴＴＩのスケジューリング情報が入手されることが可能である。
【０１５９】
ステップ２２２４において、後のショートＴＴＩのスケジューリング情報に従って第２のターゲット・ロングＴＴＩにおける後のショートＴＴＩが分析される。
【０１６０】
ステップ２２２５において、現在のショートＴＴＩのスケジューリング情報が表示情報を含まない場合には、第２のターゲット・ロングＴＴＩからショートＴＴＩを分析することが停止される。
【０１６１】
ステップ２２３において、ショートＴＴＩのデータ・パケット上でエラー検知を実行することによって、ショートＴＴＩに対応するＨＡＲＱフィードバックが生成される。ＨＡＲＱフィードバックは、ＡＣＫ信号またはＮＡＣＫ信号であることが可能である。
【０１６２】
第２の機器によって入手された現在のショートＴＴＩが、２３番目のロングＴＴＩの第１のショートＴＴＩであると想定され、第１のショートＴＴＩのデータ・パケット上でエラー検知が実行されて、ＨＡＲＱフィードバックが入手される。
【０１６３】
ステップ２２４において、ショートＴＴＩのＨＡＲＱフィードバックが、対応するＨＡＲＱフィードバック・リソースを通じて、ＨＡＲＱフィードバック・リソースのロケーション情報に従って第１の機器へ伝送される。
【０１６４】
上述されているように、表３において記録されているＨＡＲＱフィードバック・リソースのロケーション情報に従って、第１のショートＴＴＩのＨＡＲＱフィードバックを生成した後に、第２の機器は、図３−１において示されているＨＡＲＱフィードバック・リソース２０３など、２３番目のロングＴＴＩにおける第１のショートＴＴＩの末尾のすぐ隣にあるＨＡＲＱフィードバック・リソースを通じて第１の機器へ第１のショートＴＴＩのＨＡＲＱフィードバックを伝送する。
【０１６５】
本開示の別の例においては、第１のショートＴＴＩのＨＡＲＱフィードバック用に指定されているＨＡＲＱフィードバック・リソースは、第１のショートＴＴＩのすぐ隣のＨＡＲＱフィードバック・リソースではないことが可能である。
【０１６６】
本開示によって提供されているＨＡＲＱフィードバックを伝送する方法においては、待ち時間に敏感なサービスのデータが入手されることになる場合に、待ち時間に敏感ではないサービスのデータを第２の機器が受信したときには、第２の機器は、時間内に第１の機器から、ショートＴＴＩにおいて伝送される待ち時間に敏感なサービスのデータを受信し、時間内に第１の機器へショートＴＴＩのフィードバックを送信することができるということが理解されることが可能である。この方法においては、待ち時間に敏感なサービスのデータが時間内に入手され、待ち時間に敏感なサービスのデータの伝送待ち時間が低減され、機器パフォーマンスが改善される。
【０１６７】
簡潔にするために、上述の方法の例はすべて、アクションの一連の組合せとして記述されているが、本開示は、記述されているアクションのうちのそれぞれの順序によって限定されるものではないということを当業者なら理解するはずである。なぜなら、本開示によれば、いくつかのステップは、その他の順序で、または同時に実行されることが可能であるからである。
【０１６８】
加えて、本明細書において記述されている例は、任意選択の例であり、含まれているアクションおよびモジュールは、本開示によって必ずしも必要とされているとは限らないということも当業者なら理解するはずである。
【０１６９】
アプリケーション機能実施方法の上述の例に対応して、本開示はさらに、アプリケーション機能実施装置および対応する端末の例を提供する。
【０１７０】
図１１は、本開示の一例によるＨＡＲＱフィードバックを入手するための装置のブロック図である。
この装置は、第１の機器において適用され、
サービス要件に従ってショートＴＴＩスケジューリング情報を第１のターゲット・ロングＴＴＩへと構成するための構成モジュール３１であって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ送信するように構成されている、構成モジュール３１、
第１のターゲット・ロングＴＴＩを通じてショートＴＴＩスケジューリング情報を第２の機器へ送信するためのスケジューリング情報送信モジュール３２、
ショートＴＴＩスケジューリング情報に従って１つまたは複数のショートＴＴＩを第２のターゲット・ロングＴＴＩにおいてスケジュールし、スケジュールされた１つまたは複数のショートＴＴＩを第２の機器へ送信するためのスケジューリング・モジュール３３、ならびに
第２のターゲット・ロングＴＴＩ内で第２の機器によって順次送信される１つまたは複数のショートＴＴＩのそれぞれに関するＨＡＲＱフィードバックを受信するための受信モジュール３４、を含むことが可能である。
【０１７１】
図１２は、本開示の一例によるＨＡＲＱフィードバックを入手するための別の装置のブロック図である。
図１１において示されている例に基づいて、構成モジュール３１は、
ロングＴＴＩを通じてデータが伝送されているときに低待ち時間サービス要求をモニタするためのモニタリング・サブモジュール３１１、および
低待ち時間サービス要求がモニタされているということを特定したことに応答して、ショートＴＴＩスケジューリング情報を第１のターゲット・ロングＴＴＩへと構成するためのスケジューリング情報構成サブモジュール３１２であって、低待ち時間サービス・データがショートＴＴＩにおいて伝送されることになる、スケジューリング情報構成サブモジュール３１２、を含むことが可能である。
【０１７２】
図１３は、本開示の一例によるＨＡＲＱフィードバックを入手するための別の装置のブロック図である。
図１２において示されている例に基づいて、スケジューリング情報構成サブモジュール３１２は、
ショートＴＴＩスケジューリング情報を、第１のターゲット・ロングＴＴＩに関連付けられている制御シグナリングへと構成するための第１の構成ユニット３１２１、または
ショートＴＴＩスケジューリング情報を、第１のターゲット・ロングＴＴＩに関連付けられているデータ・フィールドへと構成し、ショートＴＴＩスケジューリング情報のロケーション情報を、第１のターゲット・ロングＴＴＩに関連付けられている制御シグナリングへと構成するための第２の構成ユニット３１２２であって、ショートＴＴＩスケジューリング情報のロケーション情報が、現在のロングＴＴＩに関連付けられているデータ・フィールドにおけるショートＴＴＩスケジューリング情報のストレージ・ロケーションを示すために使用される、第２の構成ユニット３１２２、を含むことが可能である。
【０１７３】
図１４は、一例によるＨＡＲＱフィードバックを入手するための別の装置のブロック図である。
図１３において示されている例に基づいて、第１の構成ユニット３１２１は、
ロングＴＴＩにおけるすべてのショートＴＴＩのスケジューリング情報を、第１のターゲット・ロングＴＴＩに関連付けられている制御シグナリングへと構成するための第１の構成サブユニット３１２１１、または
ロングＴＴＩにおける第１のショートＴＴＩのスケジューリング情報を、第１のターゲット・ロングＴＴＩに関連付けられている制御シグナリングへと構成するための第２の構成サブユニット３１２１２であって、第１のショートＴＴＩのスケジューリング情報がさらに、第１のショートＴＴＩが後のショートＴＴＩのスケジューリング情報を含むということを示すための表示情報を含む、第２の構成サブユニット３１２１２、を含むことが可能である。
【０１７４】
図１５は、一例によるＨＡＲＱフィードバックを入手するための別の装置のブロック図である。
図１１において示されている例に基づいて、スケジューリング・モジュール３３は、
第１のターゲット・ロングＴＴＩが、ロングＴＴＩにおけるすべてのショートＴＴＩのスケジューリング情報を伴って構成されている場合には、すべてのショートＴＴＩのスケジューリング情報に従って、第２のターゲット・ロングＴＴＩ内でショートＴＴＩのそれぞれを順次スケジュールし、ショートＴＴＩのそれぞれにＨＡＲＱフィードバック・リソースを順次割り当てるように構成されている第１のスケジューリング・サブモジュール３３１を含むことが可能である。
【０１７５】
図１６は、一例によるＨＡＲＱフィードバックを入手するための別の装置のブロック図である。
図１１において示されている例に基づいて、スケジューリング・モジュール３３は、
第１のターゲット・ロングＴＴＩに関連付けられている制御シグナリングが、ロングＴＴＩにおける第１のショートＴＴＩのスケジューリング情報を含む場合には、第１のショートＴＴＩのスケジューリング情報に従って、第２のターゲット・ロングＴＴＩにおいて第１のショートＴＴＩをスケジュールし、第１のショートＴＴＩにＨＡＲＱフィードバック・リソースを割り当てるための第２のスケジューリング・サブモジュール３３２、および
ネストされた構成ユニット３３３１およびスケジューリング・ユニット３３３２を第１のショートＴＴＩから最後から２番目のショートＴＴＩまで順次トリガーするための第３のスケジューリング・サブモジュール３３３を含むことが可能である。
【０１７６】
ネストされた構成ユニット３３３１は、現在のショートＴＴＩに関連付けられているサブ制御シグナリングにおいて後のショートＴＴＩのスケジューリング情報を構成することになり、現在のショートＴＴＩのスケジューリング情報は、少なくとも、長さ情報、ＨＡＲＱフィードバック・リソースのロケーション情報、および表示情報を含む。
【０１７７】
スケジューリング・ユニット３３３２は、後のショートＴＴＩのスケジューリング情報に従って、後のショートＴＴＩをスケジュールし、後のショートＴＴＩにＨＡＲＱフィードバック・リソースを割り当てることになる。
【０１７８】
図１７は、一例によるＨＡＲＱフィードバックを入手するための別の装置のブロック図である。
図１１において示されている例に基づいて、構成モジュール３１は、
それぞれのショートＴＴＩのＨＡＲＱフィードバック・リソースを、そのショートＴＴＩの末尾のすぐ隣にあるように構成するための第１のリソース構成サブモジュール３１３、または
１つまたは複数のショートＴＴＩがロングＴＴＩにおいてスケジュールされた後にロングＴＴＩが予備リソースを有する場合には、ロングＴＴＩ用にもともと構成されているＨＡＲＱフィードバック・リソースを１つまたは複数のショートＴＴＩのうちの最後の１つに割り振るための第２のリソース構成サブモジュール３１４を含むことが可能である。
【０１７９】
加えて、本開示はさらに、ＨＡＲＱフィードバックを伝送するための装置を提供し、この装置は、第２の機器において適用される。図１８は、一例によるＨＡＲＱフィードバックを伝送するための装置のブロック図である。
この装置は、
第１のターゲット・ロングＴＴＩからショートＴＴＩスケジューリング情報を入手するためのスケジューリング情報入手モジュール４１であって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ伝送するように構成されている、スケジューリング情報入手モジュール４１、ならびに
ショートＴＴＩスケジューリング情報に従って、第２のターゲット・ロングＴＴＩからショートＴＴＩのそれぞれを順次分析し、ショートＴＴＩのうちのそれぞれのＨＡＲＱフィードバック・リソースを通じて第１の機器へＨＡＲＱフィードバックを送信するためのフィードバック送信モジュール４２を含むことが可能である。
【０１８０】
図１９は、一例によるＨＡＲＱフィードバックを伝送するための装置のブロック図である。
図１８の例に基づいて、スケジューリング情報入手モジュール４１は、
ロングＴＴＩのそれぞれがショートＴＴＩスケジューリング情報を含むかどうかをモニタして、モニタリング結果を入手するためのモニタリング・サブモジュール４１１、
現在のロングＴＴＩがショートＴＴＩスケジューリング情報を含むということをモニタリング結果が示している場合には、現在のロングＴＴＩを第１のターゲット・ロングＴＴＩとして特定するための第１のターゲット特定サブモジュール４１２、および
第１のターゲット・ロングＴＴＩからショートＴＴＩスケジューリング情報を分析するための分析サブモジュール４１３、を含むことが可能である。
【０１８１】
図２０は、一例によるＨＡＲＱフィードバックを伝送するための装置のブロック図である。
図１８において示されている例に基づいて、フィードバック送信モジュール４２は、
ショートＴＴＩのロケーション情報に従ってショートＴＴＩを用いてスケジュールされる第２のターゲット・ロングＴＴＩを特定するための第２のターゲット特定サブモジュール４２１、
ショートＴＴＩの長さ情報および量情報に従って第２のターゲット・ロングＴＴＩにおけるショートＴＴＩのそれぞれを入手するためのショートＴＴＩ入手サブモジュール４２２、
ショートＴＴＩのうちのそれぞれのデータ・パケット上でエラー検知を実行して、ショートＴＴＩに対応するＨＡＲＱフィードバックを生成するための検知サブモジュール４２３、ならびに
ＨＡＲＱフィードバック・リソースのロケーション情報に従って、ショートＴＴＩのうちのそれぞれのＨＡＲＱフィードバックを、対応するＨＡＲＱフィードバック・リソースを通じて第１の機器へ伝送するための送信サブモジュール４２４、を含むことが可能である。
【０１８２】
図２１は、一例によるＨＡＲＱフィードバックを伝送するための別の装置のブロック図である。
図２０の例に基づいて、ショートＴＴＩ入手サブモジュール４２２は、
量情報が１を示している場合には、長さ情報に従って第２のターゲット・ロングＴＴＩにおける第１のショートＴＴＩを入手するための第１のショートＴＴＩ入手ユニット４２２１、および
第１のショートＴＴＩから開始して、特定サブユニット４２２２１、ポーリング・スケジューリング・サブユニット４２２２２、または終了実行サブユニット４２２２３を順次トリガーするためのポーリング実行ユニット４２２２を含むことが可能である。
【０１８３】
特定サブユニット４２２２１は、現在のショートＴＴＩのスケジューリング情報が表示情報を含むかどうかを特定することになり、表示情報は、現在のショートＴＴＩが後のショートＴＴＩのスケジューリング情報を含むということを示すために使用される。
【０１８４】
ポーリング・スケジューリング・サブユニット４２２２２は、現在のショートＴＴＩのスケジューリング情報が表示情報を含むということを特定したことに応答して、入手された現在のショートＴＴＩから後のショートＴＴＩのスケジューリング情報を分析し、後のショートＴＴＩのスケジューリング情報に従って第２のターゲット・ロングＴＴＩから後のショートＴＴＩを分析することになる。
【０１８５】
終了実行サブユニット４２２２３は、現在のショートＴＴＩのスケジューリング情報が表示情報を含まないということを特定したことに応答して、第２のターゲット・ロングＴＴＩからショートＴＴＩを分析することを停止することになる。上述の例における装置に関しては、それぞれのモジュールがオペレーションを実行する特定の様式が、関連した方法の例において詳細に記述されており、ここでは、さらなる詳細は省略されている。
【０１８６】
それに対応して、一態様においては、ＨＡＲＱフィードバックを入手するための装置が、本開示の例において提供され、この装置は、プロセッサと、プロセッサによって実行可能な命令を格納するためのメモリとを含む。
プロセッサは、
サービス要件に従ってショートＴＴＩスケジューリング情報を第１のターゲット・ロングＴＴＩへと構成することであって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ送信するように構成されている、構成すること、
第１のターゲット・ロングＴＴＩを通じてショートＴＴＩスケジューリング情報を第２の機器へ送信すること、
ショートＴＴＩスケジューリング情報に従って１つまたは複数のショートＴＴＩを第２のターゲット・ロングＴＴＩにおいてスケジュールし、スケジュールされた１つまたは複数のショートＴＴＩを第２の機器へ送信すること、および
第２のターゲット・ロングＴＴＩ内で第２の機器によって順次送信される１つまたは複数のショートＴＴＩのそれぞれに関するＨＡＲＱフィードバックを受信すること、を行うことが可能である。
【０１８７】
別の態様においては、ＨＡＲＱフィードバックを伝送するための装置が、本開示の例において提供され、この装置は、プロセッサと、プロセッサによって実行可能な命令を格納するためのメモリとを含む。
プロセッサは、
第１のターゲット・ロングＴＴＩからショートＴＴＩスケジューリング情報を入手することであって、ショートＴＴＩスケジューリング情報が、少なくとも、ロケーション情報、長さ情報、量情報、およびショートＴＴＩのＨＡＲＱフィードバック・リソースのロケーション情報を含み、ショートＴＴＩのＨＡＲＱフィードバック・リソースが、ショートＴＴＩのＨＡＲＱフィードバックを第２の機器から第１の機器へ伝送するように構成されている、入手すること、
ショートＴＴＩスケジューリング情報に従って、第２のターゲット・ロングＴＴＩからショートＴＴＩのそれぞれを順次分析し、ショートＴＴＩのうちのそれぞれのＨＡＲＱフィードバック・リソースを通じて第１の機器へＨＡＲＱフィードバックを伝送すること、を行うことが可能である。
【０１８８】
図２２において示されているように、図２２は、本開示の一例によるＨＡＲＱフィードバックを入手するための装置２２００の構造の概略図である。装置２２００は、基地局として提供されることが可能である。図２２を参照すると、装置２２００は、処理コンポーネント２２２２と、ワイヤレス送信／受信コンポーネント２２２４と、アンテナ・コンポーネント２２２６と、ワイヤレス・インターフェースに固有の信号処理コンポーネントとを含む。処理コンポーネント２２２２はさらに、１つまたは複数のプロセッサを含むことが可能である。
【０１８９】
処理コンポーネント２２２２のうちの１つは、
サービス要件に従ってショートＴＴＩスケジューリング情報を第１のターゲット・ロングＴＴＩへと構成することであって、ショートＴＴＩスケジューリング情報が、少なくとも、ロケーション情報、長さ情報、量情報、およびショートＴＴＩのＨＡＲＱフィードバック・リソースのロケーション情報、ショートＴＴＩのＨＡＲＱフィードバック・リソースを含む、構成すること、
第１のターゲット・ロングＴＴＩを通じてショートＴＴＩスケジューリング情報をユーザ機器へ送信すること、
ショートＴＴＩスケジューリング情報に従って１つまたは複数のダウンリンク・ショートＴＴＩを第２のターゲット・ロングＴＴＩにおいてスケジュールし、スケジュールされた１つまたは複数のショートＴＴＩをユーザ機器へ送信すること、および
第２のターゲット・ロングＴＴＩ内でユーザ機器によって順次送信される１つまたは複数のショートＴＴＩのそれぞれに関するＨＡＲＱフィードバックを受信すること、を行うことが可能である。
【０１９０】
図２３は、本開示の一例によるＨＡＲＱフィードバックを伝送するための装置２３００の構造の概略図である。たとえば、装置２３００は、端末であることが可能であり、具体的には、モバイル電話、コンピュータ、デジタル放送端末、メッセージ送受信デバイス、ゲーム・コンソール、タブレット・デバイス、医療デバイス、フィットネス・デバイス、携帯情報端末、ウェアラブル・デバイス、たとえば、スマート・ウォッチ、スマート・グラス、スマート・バンド、スマート・ランニング・シューズなどであることが可能である。
【０１９１】
図２３を参照すると、装置２３００は、処理コンポーネント２３０２、メモリ２３０４、電源コンポーネント２３０６、マルチメディア・コンポーネント２３０８、オーディオ・コンポーネント２３１０、入力／出力（Ｉ／Ｏ）インターフェース２３１２、センサ・コンポーネント２３１４、および通信コンポーネント２３１６というコンポーネントのうちの１つまたは複数を含むことが可能である。
【０１９２】
処理コンポーネント２３０２は一般に、表示、通話、データ通信に関連付けられているオペレーション、カメラ・オペレーション、および記録オペレーションなど、装置２３００の全体的なオペレーションを制御する。処理コンポーネント２３０２は、上述の方法のステップのうちのすべてまたは一部を完遂するための命令を実行するための１つまたは複数のプロセッサ２３１０を含むことが可能である。加えて、処理コンポーネント２３０２は、処理コンポーネント２３０２とその他のコンポーネントとの間における対話を容易にする１つまたは複数のモジュールを含むことが可能である。たとえば、処理コンポーネント２３０２は、マルチメディア・コンポーネント２３０８と処理コンポーネント２３０２との間における対話を容易にするためのマルチメディア・モジュールを含むことが可能である。
【０１９３】
メモリ２３０４は、装置２３００のオペレーションをサポートするためのさまざまなタイプのデータを格納することになる。そのようなデータの例は、装置２３００上で操作される任意のアプリケーションまたは方法のための命令、連絡先データ、電話帳データ、メッセージ、画像、ビデオなどを含む。メモリ２３０４は、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、ＲＯＭ（Ｒｅａｄ−Ｏｎｌｙ  Ｍｅｍｏｒｙ）、磁気メモリ、フラッシュ・メモリ、磁気または光ディスクなど、任意のタイプの揮発性もしくは不揮発性ストレージ・デバイス、またはそれらの組合せによって実装されることが可能である。
【０１９４】
電源コンポーネント２３０６は、装置２３００のさまざまなコンポーネントに電力を提供する。電源コンポーネント２３０６は、電力管理システム、１つまたは複数の電源、ならびに、装置２３００のための電力を生成すること、管理すること、および分配することに関連付けられているその他のコンポーネントを含むことが可能である。
【０１９５】
マルチメディア・コンポーネント２３０８は、装置２３００とユーザとの間における出力インターフェースを提供するスクリーンを含む。いくつかの例においては、スクリーンは、ＬＣＤ（Ｌｉｑｕｉｄ  Ｃｒｙｓｔａｌ  Ｄｉｓｐｌａｙ）およびＴＰ（Ｔｏｕｃｈ  Ｐａｎｅｌ）を含むことが可能である。スクリーンがＴＰを含む場合には、スクリーンは、ユーザからの入力信号を受信するためのタッチ・スクリーンとして実装されることが可能である。ＴＰは、ＴＰ上でのタッチ、スワイプ、およびジェスチャーを感知するための１つまたは複数のタッチ・センサを含むことが可能である。タッチ・センサは、タッチまたはスワイプの境界を感知するだけでなく、タッチまたはスワイプに関連付けられている持続時間および圧力を感知することも可能である。いくつかの例においては、マルチメディア・コンポーネント２３０８は、フロント・カメラおよび／またはリア・カメラを含むことが可能である。フロント・カメラおよび／またはリア・カメラは、装置２３００が写真撮影モードまたはビデオ・モードなどのオペレーティング・モードにある場合に外部のマルチメディア・データを受信することが可能である。フロント・カメラおよびリア・カメラのそれぞれは、固定された光学レンズ・システムであること、または焦点距離および光学ズーミング能力を有することが可能である。
【０１９６】
オーディオ・コンポーネント２３１０は、オーディオ信号を出力および／または入力することになる。たとえば、オーディオ・コンポーネント２３１０は、ＭＩＣ（ｍｉｃｒｏｐｈｏｎｅ）を含む。装置２３００が通話モード、録音モード、および音声認識モードなどのオペレーティング・モードにある間に、ＭＩＣは、外部のオーディオ信号を受信することになる。受信されたオーディオ信号はさらに、メモリ２３０４内に格納されること、または通信コンポーネント２３１６を介して送信されることが可能である。いくつかの例においては、オーディオ・コンポーネント２３１０はさらに、オーディオ信号を出力するためのスピーカーを含む。
【０１９７】
Ｉ／Ｏインターフェース２３１２は、処理コンポーネント２３０２と、周辺インターフェース・モジュールとの間におけるインターフェースを提供することが可能である。上述の周辺インターフェース・モジュールは、キーボード、クリック・ホイール、ボタンなどを含むことが可能である。これらのボタンは、ホーム・ボタン、ボリューム・ボタン、開始ボタン、およびロッキング・ボタンを含むことが可能であるが、それらには限定されない。
【０１９８】
センサ・コンポーネント２３１４は、装置２３００のさまざまな側面のステータス査定を提供するための１つまたは複数のセンサを含む。たとえば、センサ・コンポーネント２３１４は、装置２３００のオン／オフ・ステータス、およびコンポーネントの相対的な配置を検知することが可能であり、たとえば、そのコンポーネントは、装置２３００のディスプレイおよびキーパッドである。センサ・コンポーネント２３１４は、装置２３００または装置２３００のコンポーネントの位置における変化、ユーザと装置２３００との間における接触の有無、装置２３００の向きまたは加速／減速、および装置２３００の温度における変化を検知することも可能である。センサ・コンポーネント２３１４は、物理的な接触をまったく伴わずに付近のオブジェクトの存在を検知するための近接センサを含むことが可能である。センサ・コンポーネント２３１４はさらに、イメージング・アプリケーションにおいて使用されるＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）またはＣＣＤ（Ｃｈａｒｇｅｄ  Ｃｏｕｐｌｅｄ  Ｄｅｖｉｃｅ）イメージ・センサなどの光センサを含むことが可能である。いくつかの例においては、センサ・コンポーネント２３１４はさらに、加速度センサ、ジャイロスコープ・センサ、磁気センサ、圧力センサ、または温度センサを含むことが可能である。
【０１９９】
通信コンポーネント２３１６は、装置２３００とその他のデバイスとの間における有線またはワイヤレスでの通信を容易にすることになる。装置２３００は、ＷｉＦｉ、２Ｇ、もしくは３Ｇ、またはそれらの組合せなどの通信標準に基づくワイヤレス・ネットワークにアクセスすることが可能である。一例においては、通信コンポーネント２３１６は、外部のブロードキャスト管理システムからブロードキャスト・チャネルを介してブロードキャスト信号またはブロードキャスト関連情報を受信する。一例においては、通信コンポーネント２３１６はさらに、短距離通信を容易にするためのＮＦＣ（Ｎｅａｒ  Ｆｉｅｌｄ  Ｃｏｍｍｕｎｉｃａｔｉｏｎ）モジュールを含む。たとえば、ＮＦＣモジュールは、ＲＦＩＤ（Ｒａｄｉｏ  Ｆｒｅｑｕｅｎｃｙ  Ｉｄｅｎｔｉｆｉｃａｔｉｏｎ）テクノロジー、ＩｒＤＡ（Ｉｎｆｒａｒｅｄ  Ｄａｔａ  Ａｓｓｏｃｉａｔｉｏｎ）テクノロジー、ＵＷＢ（Ｕｌｔｒａ  Ｗｉｄｅｂａｎｄ）テクノロジー、ＢＴ（Ｂｌｕｅｔｏｏｔｈ（登録商標））テクノロジー、およびその他のテクノロジーに基づいて実装されることが可能である。
【０２００】
一例においては、装置２３００は、上述の方法を実行するための１つまたは複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）、コントローラ、マイクロコントローラ、マイクロプロセッサ、またはその他の電子コンポーネントによって実施されることが可能である。
【０２０１】
一例においては、命令を含むメモリ２３０４など、命令を含む非一時的マシン可読ストレージ・メディアも提供されている。上述の命令は、上述の方法を実行するための装置２３００のプロセッサ２３２０によって実行可能である。たとえば、その非一時的マシン可読ストレージ・メディアは、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピー・ディスク、および光データ・ストレージ・デバイスなどであることが可能である。
【０２０２】
本開示のその他の実施態様は、本明細書の考察および本明細書における本開示の実践から、当業者にとって明らかになるであろう。本開示は、本開示の一般的な原理に準拠する、かつ本開示において開示されていない関連した技術分野における常識または従来の技術的な手段を含む、本開示のいかなるバリエーション、使用、修正、または改変もカバーすることを意図されている。本明細書および例は、例示的なものにすぎないとみなされ、それに併せて、本開示の真の範囲および趣旨は、添付の請求の範囲によって示されている。
【０２０３】
本開示は、上述され添付の図面において示されている厳密な構造に限定されるものではないということ、および本開示の範囲から逸脱することなく、さまざまな修正および変更が行われることが可能であるということを理解されたい。本開示の範囲は、添付の請求の範囲によってのみ限定される。
【図１−１】
0006893243.tif 000008
【図１−２】
0006893243.tif 000009
【図２】
0006893243.tif 000010
【図３−１】
0006893243.tif 000011
【図３−２】
0006893243.tif 000012
【図３−３】
0006893243.tif 000013
【図４】
0006893243.tif 000014
【図５】
0006893243.tif 000015
【図６】
0006893243.tif 000016
【図７】
0006893243.tif 000017
【図８】
0006893243.tif 000018
【図９】
0006893243.tif 000019
【図１０】
0006893243.tif 000020
【図１１】
0006893243.tif 000021
【図１２】
0006893243.tif 000022
【図１３】
0006893243.tif 000023
【図１４】
0006893243.tif 000024
【図１５】
0006893243.tif 000025
【図１６】
0006893243.tif 000026
【図１７】
0006893243.tif 000027
【図１８】
0006893243.tif 000028
【図１９】
0006893243.tif 000029
【図２０】
0006893243.tif 000030
【図２１】
0006893243.tif 000031
【図２２】
0006893243.tif 000032
【図２３】
0006893243.tif 000033